(57)【要約】  液晶表示装置（１０）は、表示部（ＡＡ）及び非表示部（ＮＡＡ）を有する液晶パネル（１１）と、液晶パネル（１１）の辺部に沿って長手状をなすドライバ（２１）と、ドライバ（２１）に接続されるパネル側出力端子部（２４）と、パネル側出力端子部（２４）からドライバ（２１）の長辺（２１Ｌ）を横切る形で引き出されて表示部（ＡＡ）に向けて扇状に広がるよう引き回されるとともに、画像信号を伝送する複数の画像信号配線（３０）と、パネル側出力端子部（２４）から表示部（ＡＡ）に向けて引き回されるとともに、制御信号を伝送する複数の制御信号配線（３１）と、画像信号配線（３０）に倣って表示部（ＡＡ）に向けて引き回される第１制御信号配線（３１Ａ）と、パネル側出力端子部（２４）からドライバ（２１）の短辺（２１Ｓ）を横切る形で引き出されるとともに、少なくとも一部における線幅が第１制御信号配線（３１Ａ）よりも拡幅されてなる第２制御信号配線（３１Ｂ）と、を備える。
2014013945.tif 000002
【特許請求の範囲】
【請求項１】
画像を表示可能な表示部及び前記表示部外の非表示部を有する表示パネルと、  前記非表示部に取り付けられ、外部の信号供給源から供給される入力信号を処理して生成した出力信号を前記表示部に出力することで前記表示パネルを駆動するものであって、前記表示パネルの辺部に沿って長手状をなすパネル駆動部と、  前記非表示部に設けられ、前記パネル駆動部に接続されるパネル側出力端子部と、  前記非表示部に設けられ、前記パネル側出力端子部から前記パネル駆動部の長辺を横切る形で引き出されて前記表示部に向けて扇状に広がるよう引き回されるとともに、前記出力信号に含まれる画像信号を伝送する複数の画像信号配線と、  前記非表示部に設けられ、前記パネル側出力端子部から前記表示部に向けて引き回されるとともに、前記出力信号に含まれる制御信号を伝送する複数の制御信号配線と、  前記制御信号配線に含まれ、前記パネル側出力端子部から前記パネル駆動部の長辺を横切る形で引き出されて前記画像信号配線に倣って前記表示部に向けて引き回される第１制御信号配線と、  前記制御信号配線に含まれ、前記パネル側出力端子部から前記パネル駆動部の短辺を横切る形で引き出されるとともに、少なくとも一部における線幅が前記第１制御信号配線よりも拡幅されてなる第２制御信号配線と、を備える表示装置。
【請求項２】
前記第２制御信号配線は、少なくとも前記パネル側出力端子部から引き出されて前記パネル駆動部の前記短辺を横切る位置よりも外側に配される部分における線幅が部分的に拡幅されてなる請求項１記載の表示装置。
【請求項３】
前記非表示部には、前記制御信号配線に接続されることで前記制御信号配線の導通状態を検査可能な検査配線が設けられており、  前記検査配線には、前記第１制御信号配線に接続された前記パネル側出力端子部に接続される第１検査配線と、前記第２制御信号配線のうち線幅が拡幅された部分よりも前記表示部寄りの部分に接続される第２検査配線とが含まれている請求項２記載の表示装置。
【請求項４】
前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されており、  前記第１検査配線は、前記第２制御信号配線に倣って前記パネル駆動部の前記短辺を横切る形で前記第１制御信号配線に接続された前記パネル側出力端子部から引き出されている請求項３記載の表示装置。
【請求項５】
前記非表示部には、前記第１検査配線のうち前記パネル側出力端子部側の端部とは反対側の端部に接続される第１検査端子部と、前記第２検査配線のうち前記第２制御信号配線側の端部とは反対側の端部に接続され且つ前記第１検査端子部に対して前記パネル側出力端子部側とは反対側に隣り合う形で並んで配される第２検査端子部とが設けられている請求項４記載の表示装置。
【請求項６】
前記表示部には、多数個のスイッチング素子が行列状に並列配置されているのに対し、前記非表示部には、前記制御信号配線のうち前記表示部側の端部に接続されるとともに前記スイッチング素子への前記制御信号の供給を制御する行制御回路部と、前記画像信号配線のうち前記表示部側の端部に接続されるとともに前記スイッチング素子への前記画像信号の供給を制御する列制御回路部とが設けられている請求項１から請求項５のいずれか１項に記載の表示装置。
【請求項７】
前記第２制御信号配線には、前記制御信号としてクロック信号を伝送するクロック制御信号配線と、前記制御信号として前記行制御回路部または前記列制御回路部を駆動するための電源電圧信号を伝送する電源制御信号配線とが少なくとも含まれている請求項６記載の表示装置。
【請求項８】
前記第１制御信号配線には、途中に蛇行した蛇行部を有するものが含まれており、  前記行制御回路部と前記列制御回路部との少なくともいずれか一方には、前記蛇行部を有する前記第１制御信号配線に対して電気的に接続されるＥＳＤ保護回路が内蔵されている請求項６または請求項７記載の表示装置。
【請求項９】
前記スイッチング素子、前記行制御回路部及び前記列制御回路部は、それぞれ多結晶化されたシリコン薄膜を有している請求項６から請求項８のいずれか１項に記載の表示装置。
【請求項１０】
前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されている請求項１から請求項９のいずれか１項に記載の表示装置。
【請求項１１】
前記非表示部には、前記パネル駆動部に接続されるパネル側入力端子部が、前記パネル側出力端子部に対して前記パネル駆動部の前記短辺に沿う方向について並んで配設されており、  前記第２制御信号配線は、前記パネル側出力端子部と前記パネル側入力端子部との間を通る形で配されている請求項１から請求項１０のいずれか１項に記載の表示装置。
【請求項１２】
前記表示パネルは、一対の基板間に液晶を封入してなる液晶パネルとされる請求項１から請求項１１のいずれか１項に記載の表示装置。
【請求項１３】
前記液晶パネルに対して対向状をなし且つ表示側とは反対側に配されるとともに前記液晶パネルに対して光を供給可能な照明装置を備える請求項１から請求項１２のいずれか１項に記載の表示装置。
【発明の詳細な説明】
【技術分野】
【０００１】  本発明は、表示装置に関する。
【背景技術】
【０００２】  携帯電話、スマートフォン、タブレット型ノートパソコンなどの携帯型の情報端末装置やコンピュータなどの電子機器には、液晶パネルなどの表示パネルを備えた表示装置が用いられている。このような表示装置は、画像を表示する表示部を有する表示パネルと、信号供給源から供給される入力信号を処理して生成した出力信号を表示部に供給することで表示パネルを駆動するＬＳＩを有するドライバとを備えている。上記のように一般的に中小型に分類される表示装置においては、ドライバの実装方法として、ドライバを表示パネルのうち表示部外の非表示部に直接実装する、ＣＯＧ（Chip On Glass）実装技術を用いるのが好ましい。なお、この種の表示装置の一例として下記特許文献１に記載されたものが知られている。
【先行技術文献】
【特許文献】
【０００３】
【特許文献１】特開２０１０−２４３５２４号公報
【０００４】（発明が解決しようとする課題）  上記のような表示装置では、表示パネルの非表示部には、横長のドライバの出力端子部に接続されるパネル側出力端子部と、パネル側出力端子部から表示部に向けて引き回される画像信号配線及び制御信号配線とが設けられている。パネル側出力端子部は、表示部の精細度（解像度）に応じてドライバの長辺方向に沿って多数が並列配置されているため、画像信号配線及び制御信号配線は、パネル側出力端子部から表示部に向けて扇状に広がるようにして引き回されている。このため、表示部の精細度を高めて画像信号配線の本数を増加した場合、画像信号配線及び制御信号配線が互いに交差しないような配線設計を行うには、パネル側出力端子部と表示部との間の距離を大きくせざるを得なくなり、そうなると非表示部を拡張する必要が生じる。その結果、表示パネル及び表示装置における外形が大きくなったり、額縁部分が広くなるなどの問題が生じる。
【発明の概要】
【０００５】  本発明は上記のような事情に基づいて完成されたものであって、非表示部を小さく保つことを目的とする。
【０００６】（課題を解決するための手段）  本発明の表示装置は、画像を表示可能な表示部及び前記表示部外の非表示部を有する表示パネルと、前記非表示部に取り付けられ、外部の信号供給源から供給される入力信号を処理して生成した出力信号を前記表示部に出力することで前記表示パネルを駆動するものであって、前記表示パネルの辺部に沿って長手状をなすパネル駆動部と、前記非表示部に設けられ、前記パネル駆動部に接続されるパネル側出力端子部と、前記非表示部に設けられ、前記パネル側出力端子部から前記パネル駆動部の長辺を横切る形で引き出されて前記表示部に向けて扇状に広がるよう引き回されるとともに、前記出力信号に含まれる画像信号を伝送する複数の画像信号配線と、前記非表示部に設けられ、前記パネル側出力端子部から前記表示部に向けて引き回されるとともに、前記出力信号に含まれる制御信号を伝送する複数の制御信号配線と、前記制御信号配線に含まれ、前記パネル側出力端子部から前記パネル駆動部の長辺を横切る形で引き出されて前記画像信号配線に倣って前記表示部に向けて引き回される第１制御信号配線と、前記制御信号配線に含まれ、前記パネル側出力端子部から前記パネル駆動部の短辺を横切る形で引き出されるとともに、少なくとも一部における線幅が前記第１制御信号配線よりも拡幅されてなる第２制御信号配線と、を備える。
【０００７】  このようにすれば、表示パネルの非表示部に取り付けられたパネル駆動部は、外部の信号供給源からの入力信号を処理して出力信号を生成し、その出力信号を出力する。このパネル駆動部には、非表示部に設けられたパネル側出力端子部が接続されているので、パネル駆動部からの出力信号に含まれる画像信号及び制御信号がパネル側出力端子部を介して画像信号配線及び制御信号配線により伝送されて表示部に供給されることで、表示パネルの駆動がなされる。
【０００８】  上記した画像信号配線は、非表示部において、パネル駆動部の長辺を横切る形でパネル側出力端子部から引き出されて表示部に向けて扇状に広がりつつ引き回されており、仮に全ての制御信号配線を、扇状に広がる画像信号配線に倣って表示部に向けて引き回すと、パネル側出力端子部と表示部との間の距離が大きくなりがちとなる。その点、複数の制御信号配線には、パネル駆動部の長辺を横切る形でパネル側出力端子部から引き出されて画像信号配線に倣って表示部に向けて引き回される第１制御信号配線と、パネル駆動部の短辺を横切る形でパネル側出力端子部から引き出される第２制御信号配線とが含まれているから、パネル側出力端子部と表示部との間に第２制御信号配線を配置する必要がなくなる。従って、パネル側出力端子部と表示部との間の距離、すなわち非表示部を小さく保つことができ、もって当該表示装置における外形の小型化や狭額縁化などを図る上で好適となる。
【０００９】  しかも、第２制御信号配線は、パネル側出力端子部と表示部との間に配置されないことから、非表示部を拡張せずとも少なくとも一部における線幅を第１制御信号配線よりも拡幅することができる。これにより、非表示部を小さく保ちつつも、第２制御信号配線の配線抵抗を小さくすることができる。
【００１０】  本発明の実施態様として、次の構成が好ましい。（１）前記第２制御信号配線は、少なくとも前記パネル側出力端子部から引き出されて前記パネル駆動部の前記短辺を横切る位置よりも外側に配される部分における線幅が部分的に拡幅されてなる。第２制御信号配線のうち、パネル側出力端子部から引き出されてパネル駆動部の短辺を横切る位置よりも外側に配される部分は、非表示部において、パネル側出力端子部と表示部との間の領域に比べると、スペース的に比較的に余裕のある領域に配されているので、少なくとも当該部分を部分的に拡幅することで、非表示部を小型に保ちつつ第２制御信号配線の配線抵抗の低減を好適に図ることができる。
【００１１】（２）前記非表示部には、前記制御信号配線に接続されることで前記制御信号配線の導通状態を検査可能な検査配線が設けられており、前記検査配線には、前記第１制御信号配線に接続された前記パネル側出力端子部に接続される第１検査配線と、前記第２制御信号配線のうち線幅が拡幅された部分よりも前記表示部寄りの部分に接続される第２検査配線とが含まれている。このようにすれば、第１検査配線が、第１制御信号配線に接続されたパネル側出力端子部に対して接続されているから、相対的に線幅が細い第１制御信号配線を全長にわたって断線の有無について検査することができる。これにより、第１制御信号配線に断線が生じていた場合に検査によって断線を検出する確実性が高いものとなり、第１制御信号配線が断線した状態のまま当該表示装置が出荷されるなどといった事態が生じ難くなる。一方、第２制御信号配線は、パネル側出力端子部からパネル駆動部の短辺を横切る形で引き出されているため、パネル側出力端子部に対して第２検査配線を直接接続するのがスペース上困難となっている。この第２制御信号配線のうち線幅が拡幅された部分よりも表示部寄りの、線幅が相対的に細い部分は、第２制御信号配線のうち線幅が拡幅された部分に比べて断線が生じ易いものの、そこに第２検査配線を接続することで、当該線幅が細い部分に断線が生じていた場合に検査によって断線を検出する確実性を高いものとなる。第２制御信号配線のうち線幅が拡幅された部分は、本来的に断線が生じ難いことから、第２検査配線による検査が行われなくても、第２制御信号配線に断線が生じた状態のまま当該表示装置が出荷されるなどといった事態が生じ難くなる。
【００１２】（３）前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されており、前記第１検査配線は、前記第２制御信号配線に倣って前記パネル駆動部の前記短辺を横切る形で前記第１制御信号配線に接続された前記パネル側出力端子部から引き出されている。このようにすれば、それぞれパネル側出力端子部に接続された第１検査配線及び第２制御信号配線を互いに交差させることなく引き回すことができるから、仮に交差させた場合に比べると、配線構造を簡単なものとすることができる。
【００１３】（４）前記非表示部には、前記第１検査配線のうち前記パネル側出力端子部側の端部とは反対側の端部に接続される第１検査端子部と、前記第２検査配線のうち前記第２制御信号配線側の端部とは反対側の端部に接続され且つ前記第１検査端子部に対して前記パネル側出力端子部側とは反対側に隣り合う形で並んで配される第２検査端子部とが設けられている。このようにすれば、第１検査端子部が第１検査配線の接続対象であるパネル側出力端子部に対して相対的に近く配されるとともに、第２検査端子部が第２検査配線の接続対象である第２制御信号配線に対して相対的に近く配されるので、これらに接続される第１検査配線及び第２検査配線の配線長を極力短くすることができる。
【００１４】（５）前記表示部には、多数個のスイッチング素子が行列状に並列配置されているのに対し、前記非表示部には、前記制御信号配線のうち前記表示部側の端部に接続されるとともに前記スイッチング素子への前記制御信号の供給を制御する行制御回路部と、前記画像信号配線のうち前記表示部側の端部に接続されるとともに前記スイッチング素子への前記画像信号の供給を制御する列制御回路部とが設けられている。このようにすれば、表示部において行列状に並列配置された多数個のスイッチング素子は、行制御回路部により制御信号配線からの制御信号の供給が制御されるとともに、列制御回路部により画像信号配線からの画像信号の供給が制御されることで、適切に駆動されて表示部に所定の画像が表示される。
【００１５】（６）前記第２制御信号配線には、前記制御信号としてクロック信号を伝送するクロック制御信号配線と、前記制御信号として前記行制御回路部または前記列制御回路部を駆動するための電源電圧信号を伝送する電源制御信号配線とが少なくとも含まれている。制御信号配線の中でも、クロック制御信号配線は、制御信号であるクロック信号に係るパルス波形に鈍りが生じるのが嫌われる種類の配線であり、電源制御信号配線は、行制御回路部または列制御回路部を安定的に作動させるために電圧降下の発生が嫌われる種類の配線である。このことから、これらクロック制御信号配線及び電源制御信号配線を少なくとも一部が拡幅された第２制御信号配線とすることで、その配線抵抗を低くすることができる。これにより、スイッチング素子に安定したパルス波形のクロック信号を供給することができるとともに、行制御回路部または列制御回路部を安定的に作動させることができる。
【００１６】（７）前記第１制御信号配線には、途中に蛇行した蛇行部を有するものが含まれており、前記行制御回路部と前記列制御回路部との少なくともいずれか一方には、前記蛇行部を有する前記第１制御信号配線に対して電気的に接続されるＥＳＤ保護回路が内蔵されている。このようにすれば、第１制御信号配線に蛇行部を有するものを含ませることで、その配線抵抗が蛇行部を有さないものに比べて高くなる。そして、蛇行部を有する第１制御信号配線が行制御回路部と列制御回路部との少なくともいずれか一方に内蔵されたＥＳＤ保護回路に対して電気的に接続されているから、ＥＳＤに伴うサージが蛇行部を有する第１制御信号配線に入力された場合でも、サージをＥＳＤ保護回路に逃がすことができ、サージからパネル駆動部を保護することができる。
【００１７】（８）前記スイッチング素子、前記行制御回路部及び前記列制御回路部は、それぞれ多結晶化されたシリコン薄膜を有している。このようにすれば、仮にアモルファスシリコン薄膜を用いた場合に比べると、電子移動度が高いので、高精細化及び低消費電力化を図る上で好適とされる。
【００１８】（９）前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されている。このようにすれば、パネル側出力端子部からパネル駆動部の短辺を横切って引き回される第２制御信号配線のうち、パネル駆動部と重畳する部分の距離が短くなるから、第２制御信号配線とパネル駆動部との機械的な干渉が生じ難くなるとともに、パネル駆動部が有する回路にノイズなどの影響が生じ難くなる。
【００１９】（１０）前記非表示部には、前記パネル駆動部に接続されるパネル側入力端子部が、前記パネル側出力端子部に対して前記パネル駆動部の前記短辺に沿う方向について並んで配設されており、前記第２制御信号配線は、前記パネル側出力端子部と前記パネル側入力端子部との間を通る形で配されている。このようにすれば、外部の信号供給源からの入力信号は、パネル側出力端子部を介してパネル駆動部に供給される。パネル駆動部の短辺に沿う方向について並んで配設されたパネル側出力端子部とパネル側入力端子部との間に第２制御信号配線を通すことで、パネル駆動部の短辺を横切る形で第２制御信号配線を引き回すことができる。
【００２０】（１１）前記表示パネルは、一対の基板間に液晶を封入してなる液晶パネルとされる。このような表示装置は液晶表示装置として、種々の用途、例えば携帯型情報端末、携帯電話、ノートパソコン、携帯型ゲーム機などの各種電子機器に適用できる。
【００２１】（１２）前記液晶パネルに対して対向状をなし且つ表示側とは反対側に配されるとともに前記液晶パネルに対して光を供給可能な照明装置を備える。このようにすれば、照明装置から供給される光を利用して、液晶パネルの表示部に画像を表示させることができる。
【００２２】（発明の効果）  本発明によれば、非表示部を小さく保つことができる。
【図面の簡単な説明】
【００２３】
【図１】本発明の実施形態１に係るドライバを実装した液晶パネルとフレキシブル基板と制御回路基板との接続構成を示す概略平面図
【図２】液晶表示装置の長辺方向に沿った断面構成を示す概略断面図
【図３】液晶パネルの断面構成を示す概略断面図
【図４】液晶パネルを構成するアレイ基板のうち、ドライバ及びフレキシブル基板が実装された端部における配線構成を示す平面図
【図５】図４のv-v線断面図
【図６】制御信号配線及びパネル側出力端子部の配置を示す平面図
【図７】本発明の実施形態２に係る液晶パネルを構成するアレイ基板のうち、ドライバ及びフレキシブル基板が実装された端部における配線構成を示す平面図
【図８】制御信号配線、パネル側出力端子部及び検査配線の配置を示す平面図
【図９】本発明の実施形態３に係る制御信号配線及びパネル側出力端子部の配置を示す平面図
【図１０】本発明の実施形態４に係る制御信号配線及びパネル側出力端子部の配置を示す平面図
【図１１】本発明の実施形態５に係る液晶パネルを構成するアレイ基板のうち、ドライバ及びフレキシブル基板が実装された端部における配線構成を示す平面図
【発明を実施するための形態】
【００２４】  ＜実施形態１＞  本発明の実施形態１を図１から図６によって説明する。本実施形態では、液晶表示装置１０について例示する。なお、各図面の一部にはＸ軸、Ｙ軸及びＺ軸を示しており、各軸方向が各図面で示した方向となるように描かれている。また、上下方向については、図２などを基準とし、且つ同図上側を表側とするとともに同図下側を裏側とする。
【００２５】  液晶表示装置１０は、図１及び図２に示すように、画像を表示可能な表示部ＡＡ及び表示部ＡＡ外の非表示部ＮＡＡを有する液晶パネル（表示パネル、表示素子）１１と、液晶パネル１１を駆動するドライバ（パネル駆動部）２１と、ドライバ２１に対して各種入力信号を外部から供給する制御回路基板（外部の信号供給源）１２と、液晶パネル１１と外部の制御回路基板１２とを電気的に接続するフレキシブル基板（外部接続部品）１３と、液晶パネル１１に光を供給する外部光源であるバックライト装置（照明装置）１４とを備える。また、液晶表示装置１０は、相互に組み付けた液晶パネル１１及びバックライト装置１４を収容・保持するための表裏一対の外装部材１５，１６をも備えており、このうち表側の外装部材１５には、液晶パネル１１の表示部ＡＡに表示された画像を外部から視認させるための開口部１５ａが形成されている。本実施形態に係る液晶表示装置１０は、携帯型情報端末（電子ブックやＰＤＡなどを含む）、携帯電話（スマートフォンなどを含む）、ノートパソコン（タブレット型ノートパソコンなどを含む）、デジタルフォトフレーム、携帯型ゲーム機、電子インクペーパなどの各種電子機器（図示せず）に用いられるものである。このため、液晶表示装置１０を構成する液晶パネル１１の画面サイズは、数インチ〜１０数インチ程度とされ、一般的には小型または中小型に分類される大きさとされている。
【００２６】  先にバックライト装置１４について簡単に説明する。バックライト装置１４は、図２に示すように、表側（液晶パネル１１側）に向けて開口した略箱形をなすシャーシ１４ａと、シャーシ１４ａ内に配された図示しない光源（例えば冷陰極管、ＬＥＤ、有機ＥＬなど）と、シャーシ１４ａの開口部を覆う形で配される図示しない光学部材とを備える。光学部材は、光源から発せられる光を面状に変換するなどの機能を有するものである。
【００２７】  続いて、液晶パネル１１について説明する。液晶パネル１１は、図１に示すように、全体として縦長な方形状（矩形状）をなしており、その長辺方向における一方の端部側（図１に示す上側）に片寄った位置に表示部（アクティブエリア）ＡＡが配されるとともに、長辺方向における他方の端部側（図１に示す下側）に片寄った位置にドライバ２１及びフレキシブル基板１３がそれぞれ取り付けられている。この液晶パネル１１において表示部ＡＡ外の領域が、画像が表示されない非表示部（ノンアクティブエリア）ＮＡＡとされ、この非表示部ＮＡＡは、表示部ＡＡを取り囲む略枠状の領域（後述するＣＦ基板１１ａにおける額縁部分）と、長辺方向の他方の端部側に確保された領域（後述するアレイ基板１１ｂのうちＣＦ基板１１ａとは重畳せずに露出する部分）とからなり、このうちの長辺方向の他方の端部側に確保された領域にドライバ２１及びフレキシブル基板１３の実装領域（取付領域）が含まれている。液晶パネル１１における短辺方向が各図面のＸ軸方向と一致し、長辺方向が各図面のＹ軸方向と一致している。なお、図１では、ＣＦ基板１１ａよりも一回り小さな枠状の一点鎖線が表示部ＡＡの外形を表しており、当該実線よりも外側の領域が非表示部ＮＡＡとなっている。
【００２８】  液晶パネル１１は、図３に示すように、一対の透明な（透光性を有する）ガラス製の基板１１ａ，１１ｂと、両基板１１ａ，１１ｂ間に介在し、電界印加に伴って光学特性が変化する物質である液晶分子を含む液晶層１１ｃとを備え、両基板１１ａ，１１ｂが液晶層１１ｃの厚さ分のギャップを維持した状態で図示しないシール剤によって貼り合わせられている。両基板１１ａ，１１ｂのうち表側（正面側）がＣＦ基板１１ａとされ、裏側（背面側）がアレイ基板１１ｂとされる。このうち、ＣＦ基板１１ａは、図１及び図２に示すように、短辺寸法がアレイ基板１１ｂと概ね同等であるものの、長辺寸法がアレイ基板１１ｂよりも小さなものとされるとともに、アレイ基板１１ｂに対して長辺方向についての一方（図１に示す上側）の端部を揃えた状態で貼り合わせられている。従って、アレイ基板１１ｂのうち長辺方向についての他方（図１に示す下側）の端部は、所定範囲にわたってＣＦ基板１１ａが重なり合うことがなく、表裏両板面が外部に露出した状態とされており、ここに後述するドライバ２１及びフレキシブル基板１３の実装領域（各端子部２２〜２４の配置領域）が確保されている。なお、両基板１１ａ，１１ｂの内面側には、液晶層１１ｃに含まれる液晶分子を配向させるための配向膜１１ｄ，１１ｅがそれぞれ形成されている。また、両基板１１ａ，１１ｂの外面側には、それぞれ偏光板１１ｆ，１１ｇが貼り付けられている。
【００２９】  続いて、アレイ基板１１ｂ及びＣＦ基板１１ａにおける表示部ＡＡ内に存在する構成について順次に詳しく説明する。アレイ基板１１ｂの内面側（液晶層１１ｃ側、ＣＦ基板１１ａとの対向面側）には、図３及び図４に示すように、スイッチング素子であるＴＦＴ（Thin Film Transistor）１７及び画素電極１８が多数個ずつマトリクス状に並んで設けられるとともに、これらＴＦＴ１７及び画素電極１８の周りには、格子状をなすゲート配線（行制御線、走査線）１９及びソース配線（列制御線、データ線）２０が取り囲むようにして配設されている。言い換えると、格子状をなすゲート配線１９及びソース配線２０の交差部に、ＴＦＴ１７及び画素電極１８が行列状に並列配置されている。ゲート配線１９及びソース配線２０は、それぞれ金属材料（導電材料）からなり、相互の交差部位間には絶縁膜が介在する形で配されている。ゲート配線１９とソース配線２０とがそれぞれＴＦＴ１７のゲート電極とソース電極とに接続され、画素電極１８がＴＦＴ１７のドレイン電極に接続されている。このＴＦＴ１７は、ソース電極とドレイン電極とを架け渡して両電極間での電子の移動を可能とする半導体膜が、多結晶化されたシリコン薄膜の一種であるＣＧシリコン（Continuous Grain Silicon）薄膜からなるものとされている。ＣＧシリコン薄膜は、例えばアモルファスシリコン薄膜に金属材料を添加し、５５０℃以下程度の低温で短時間の熱処理を行うことで形成されており、それによりシリコン結晶の結晶粒界における原子配列に連続性を有している。ＣＧシリコン薄膜は、アモルファスシリコン薄膜などに比べると、電子移動度が例えば２００〜３００ｃｍ２／Ｖｓ程度と高くなっているので、ＴＦＴ１７を容易に小型化して画素電極１８の透過光量を極大化することができ、もって高精細化及び低消費電力化を図る上で好適とされる。このような半導体膜を有するＴＦＴ１７は、半導体膜が最下層に配され、その上層側に絶縁膜を介してゲート電極が積層されてなる、スタガ型（コプレーナ型）とされている。また、画素電極１８は、平面に視て縦長の方形状（矩形状）をなすとともに、ＩＴＯ（Indium Tin Oxide）或いはＺｎＯ（Zinc Oxide）といった透明電極材料からなる。なお、アレイ基板１１ｂには、ゲート配線１９に並行するとともに画素電極１８を横切りつつ絶縁層を介して重畳する容量配線（図示せず）を設けることも可能である。
【００３０】  一方、ＣＦ基板１１ａには、図３に示すように、Ｒ（赤色），Ｇ（緑色），Ｂ（青色）等の各着色部が、アレイ基板１１ｂ側の各画素電極１８と平面に視て重畳するよう多数個マトリクス状に並列して配置されたカラーフィルタ１１ｈが設けられている。カラーフィルタ１１ｈをなす各着色部間には、混色を防ぐための略格子状の遮光層（ブラックマトリクス）１１ｉが形成されている。遮光層１１ｉは、上記したゲート配線１９及びソース配線２０と平面に視て重畳する配置とされる。カラーフィルタ１１ｈび遮光層１１ｉの表面には、アレイ基板１１ｂ側の画素電極１８と対向するベタ状の対向電極１１ｊが設けられている。なお、当該液晶パネル１１においては、Ｒ（赤色），Ｇ（緑色），Ｂ（青色）の３色の着色部及びそれらと対向する３つの画素電極１８の組によって表示単位である１つの表示画素が構成されている。表示画素は、Ｒの着色部を有する赤色画素と、Ｇの着色部を有する緑色画素と、Ｂの着色部を有する青色画素とからなる。これら各色の画素は、液晶パネル１１の板面において行方向（Ｘ軸方向）に沿って繰り返し並べて配されることで、画素群を構成しており、この画素群が列方向（Ｙ軸方向）に沿って多数並んで配されている。
【００３１】  制御回路基板１２は、図１及び図２に示すように、バックライト装置１４におけるシャーシ１４ａの裏面（液晶パネル１１側とは反対側の外面）にネジなどにより取り付けられている。この制御回路基板１２は、紙フェノールないしはガラスエポキシ樹脂製の基板上に、ドライバ２１に各種入力信号を供給するための電子部品が実装されるとともに、図示しない所定のパターンの配線（導電路）が配索形成されている。この制御回路基板１２には、フレキシブル基板１３の一方の端部（一端側）が図示しないＡＣＦ（Anisotropic Conductive Film）を介して電気的に且つ機械的に接続されている。
【００３２】  フレキシブル基板（ＦＰＣ基板）１３は、図２に示すように、絶縁性及び可撓性を有する合成樹脂材料（例えばポリイミド系樹脂等）からなる基材を備え、その基材上に多数本の配線パターン（図示せず）を有しており、長さ方向についての一方の端部が既述した通りシャーシ１４ａの裏面側に配された制御回路基板１２に接続されるのに対し、他方の端部（他端側）が液晶パネル１１におけるアレイ基板１１ｂに接続されているため、液晶表示装置１０内では断面形状が略Ｕ型となるよう折り返し状に屈曲されている。フレキシブル基板１３における長さ方向についての両端部においては、配線パターンが外部に露出して端子部（図示せず）を構成しており、これらの端子部がそれぞれ制御回路基板１２及びアレイ基板１１ｂに対して電気的に接続されている。これにより、制御回路基板１２側から供給される入力信号を液晶パネル１１側に伝送することが可能とされている。
【００３３】  ドライバ２１は、図１に示すように、内部に駆動回路を有するＬＳＩチップからなるものとされ、信号供給源である制御回路基板１２から供給される信号に基づいて作動することで、信号供給源である制御回路基板１２から供給される入力信号を処理して出力信号を生成し、その出力信号を液晶パネル１１の表示部ＡＡへと出力するものとされる。このドライバ２１は、平面に視て横長の方形状をなす（液晶パネル１１の短辺に沿って長手状をなす）とともに、液晶パネル１１のアレイ基板１１ｂにおける非表示部ＮＡＡに対して直接実装され、つまりＣＯＧ（Chip On Glass）実装されている。なお、ドライバ２１の長辺方向がＸ軸方向（液晶パネル１１の短辺方向）と一致し、同短辺方向がＹ軸方向（液晶パネル１１の長辺方向）と一致している。
【００３４】  次に、アレイ基板１１ｂの非表示部ＮＡＡに対する、フレキシブル基板１３及びドライバ２１の接続構造について説明する。アレイ基板１１ｂの非表示部ＮＡＡのうちＣＦ基板１１ａとは重畳しない非重畳部分には、図１に示すように、ドライバ２１及びフレキシブル基板１３の端部がそれぞれ取り付けられており、フレキシブル基板１３の端部がアレイ基板１１ｂにおける短辺方向に沿った端部に配されるのに対して、ドライバ２１がアレイ基板１１ｂにおいてフレキシブル基板１３よりも表示部ＡＡ側に位置して配されている。言い換えると、ドライバ２１は、非表示部ＮＡＡにおいて、表示部ＡＡとフレキシブル基板１３との間に挟まれた位置に配されているのに対し、フレキシブル基板１３は、その端部（液晶パネル１１に対する取付部位）がドライバ２１に対して表示部ＡＡ側とは反対側に配されている。フレキシブル基板１３は、その端部がアレイ基板１１ｂの短辺側の端部における中央部分に取り付けられており、その取り付けられた端部がアレイ基板１１ｂの短辺側の端部（短辺方向、Ｘ軸方向）に沿って延在している。フレキシブル基板１３におけるアレイ基板１１ｂに対して取り付けられた端部の寸法は、アレイ基板１１ｂの長辺寸法よりも小さくなっている。一方、ドライバ２１は、その長辺方向をアレイ基板１１ｂの短辺方向（Ｘ軸方向）と一致させた姿勢で非表示部ＮＡＡにおけるアレイ基板１１ｂの短辺方向についての中央部分に実装されている。
【００３５】  上記したアレイ基板１１ｂにおけるフレキシブル基板１３の実装領域（外部接続部材実装領域）には、図４に示すように、フレキシブル基板１３側から入力信号の供給を受ける外部接続端子部２２が形成されている。その一方、アレイ基板１１ｂにおけるドライバ２１の実装領域（パネル駆動部実装領域）には、ドライバ２１への入力信号の供給を図るためのパネル側入力端子部２３と、ドライバ２１からの出力信号の供給を受けるパネル側出力端子部２４とが設けられている。また、外部接続端子部２２とパネル側入力端子部２３とは、非表示部ＮＡＡのうち、フレキシブル基板１３の実装領域とドライバ２１の実装領域との間を横切る形で配索形成された中継配線（図示せず）によって電気的に接続されている。これに対して、ドライバ２１には、パネル側入力端子部２３に電気的に接続されるドライバ側入力端子部（パネル駆動部側入力端子部）２５と、パネル側出力端子部２４に電気的に接続されるドライバ側出力端子部（パネル駆動部側出力端子部）２６とが設けられている。なお、図４では、フレキシブル基板１３及びドライバ２１を二点鎖線により図示している。また、図４及び図６では、後述する列制御回路部２７及び行制御回路部２８の内側に配された一点鎖線が表示部ＡＡの外形を表しており、当該一点鎖線よりも外側の領域が非表示部ＮＡＡとなっている。
【００３６】  パネル側入力端子部２３及びパネル側出力端子部２４は、図５に示すように、ゲート配線１９またはソース配線２０と同じ金属材料からなる薄膜の表面が、画素電極１８と同じＩＴＯ或いはＺｎＯといった透明電極材料によって覆われてなる。従って、パネル側入力端子部２３及びパネル側出力端子部２４は、液晶パネル１１（アレイ基板１１ｂ）の製造工程においてゲート配線１９またはソース配線２０や画素電極１８をパターニングする際に既知のフォトリソグラフィー法によりこれらと同時にアレイ基板１１ｂ上にパターニングされている。パネル側入力端子部２３及びパネル側出力端子部２４上には、異方性導電膜（ＡＣＦ：Anisotropic Conductive Film）２９が塗布されており、この異方性導電膜２９に含まれる導電性粒子２９ａを介してドライバ２１のドライバ側入力端子部２５がパネル側入力端子部２３に対して、ドライバ側出力端子部２６がパネル側出力端子部２４に対してそれぞれ電気的に接続されている。なお、図示は省略するが、外部接続端子部２２についても上記したパネル側入力端子部２３及びパネル側出力端子部２４と同様の断面構造を有しており、異方性導電膜を介してフレキシブル基板１３の端子部に対して電気的に接続されている。
【００３７】  パネル側入力端子部２３及びパネル側出力端子部２４は、図４に示すように、アレイ基板１１ｂのうちドライバ２１と平面に視て重畳する位置、つまりドライバ２１の実装領域に配されている。パネル側入力端子部２３とパネル側出力端子部２４とは、間に所定の間隔を空けつつＹ軸方向（ドライバ２１と表示部ＡＡとの並び方向）に沿って並んで配されている。このうち、パネル側入力端子部２３は、アレイ基板１１ｂにおけるドライバ２１の実装領域のうち、フレキシブル基板１３側（表示部ＡＡ側とは反対側）に配されているのに対し、パネル側出力端子部２４は、表示部ＡＡ側（フレキシブル基板１３側とは反対側）に配されている。パネル側入力端子部２３及びパネル側出力端子部２４は、Ｘ軸方向、つまりドライバ２１の長辺方向に沿って多数個ずつがそれぞれ所定の間隔を空けて直線的に並列配置されている。そして、パネル側出力端子部２４には、ドライバ２１から出力される出力信号に含まれる画像信号（データ信号、ビデオ信号）の供給を受けるパネル側画像出力端子部２４Ａと、同出力信号に含まれる制御信号の供給を受けるパネル側制御出力端子部２４Ｂとが含まれている。パネル側画像出力端子部２４Ａは、パネル側出力端子部２４群のうち図４に示す右端位置から左側に向けて多数個がＸ軸方向に沿って並んで配されており、パネル側出力端子部２４群の大部分（大多数）を占めている。これに対し、パネル側制御出力端子部２４Ｂは、パネル側出力端子部２４群のうち図４に示す左端位置から右側に向けて５つがＸ軸方向に沿って並んで配されており、パネル側出力端子部２４群のごく一部（小数）を占めている。なお、以下では、パネル側出力端子部２４を区別する場合には、パネル側画像出力端子部の符号に添え字「Ａ」を、パネル側制御出力端子部の符号に添え字「Ｂ」をそれぞれ付すものとし、区別しない場合には添え字を付さないものとする。
【００３８】  ドライバ側入力端子部２５及びドライバ側出力端子部２６は、図５に示すように、金などの導電性に優れた金属材料からなるとともにドライバ２１の底面（アレイ基板１１ｂとの対向面）から突出するバンプ状をなしている。ドライバ側入力端子部２５及びドライバ側出力端子部２６は、ドライバ２１内に有される処理回路にそれぞれ接続されており、ドライバ側入力端子部２５から入力された入力信号を処理回路にて処理した後、ドライバ側出力端子部２６へと出力することが可能とされる。ドライバ側入力端子部２５及びドライバ側出力端子部２６は、パネル側入力端子部２３及びパネル側出力端子部２４と同様にＸ軸方向、つまりドライバ２１の長辺方向に沿って多数個ずつがそれぞれ所定の間隔を空けて直線的に並列配置されている。
【００３９】  一方、アレイ基板１１ｂにおける非表示部ＮＡＡのうち、表示部ＡＡにおける短辺部と長辺部とにそれぞれ隣り合う位置には、図４に示すように、表示部ＡＡのゲート配線１９及びソース配線２０に接続されることで、ドライバ２１からの出力信号をＴＦＴ１７に供給するための制御を行う列制御回路部２７及び行制御回路部２８が設けられている。列制御回路部２７及び行制御回路部２８は、ＴＦＴ１７と同じＣＧシリコン薄膜をベースとしてアレイ基板１１ｂ上にモノリシックに形成されることで、ＴＦＴ１７への出力信号の供給を制御するための制御回路を有している。これら列制御回路部２７及び行制御回路部２８は、液晶パネル１１（アレイ基板１１ｂ）の製造工程においてＴＦＴ１７などをパターニングする際に既知のフォトリソグラフィー法により同時にアレイ基板１１ｂ上にパターニングされている。
【００４０】  このうち、列制御回路部２７は、図４に示すように、表示部ＡＡにおける図４に示す下側の短辺部に隣り合う位置、言い換えるとＹ軸方向について表示部ＡＡとドライバ２１との間となる位置に配されており、Ｘ軸方向に沿って延在する横長な方形状の範囲に形成されている。この列制御回路部２７は、表示部ＡＡに配されたソース配線２０に接続されるとともに、ドライバ２１からの出力信号に含まれる画像信号を、各ソース配線２０に振り分けるスイッチ回路（ＲＧＢスイッチ回路）を有している。具体的には、ソース配線２０は、アレイ基板１１ｂの表示部ＡＡにおいてＸ軸方向に沿って多数本が並列配置されるとともに、Ｒ（赤色），Ｇ（緑色），Ｂ（青色）の各色の画素をなす各ＴＦＴ１７にそれぞれ接続されているのに対して、列制御回路部２７は、スイッチ回路によってドライバ２１からの画像信号をＲ，Ｇ，Ｂの各ソース配線２０に振り分けて供給している。また、列制御回路部２７には、レベルシフタ回路やＥＳＤ（Electro-Static Discharge）保護回路などの付属回路が備えられている。
【００４１】  これに対し、行制御回路部２８は、図４に示すように、表示部ＡＡにおける図４に示す左側の長辺部に隣り合う位置に配されており、Ｙ軸方向に沿って延在する縦長な範囲に形成されている。行制御回路部２８は、表示部ＡＡに配されたゲート配線１９に接続されるとともに、ドライバ２１からの出力信号に含まれる制御信号を、各ゲート配線１９に所定のタイミングで供給して各ゲート配線１９を順次に走査する走査回路を有している。具体的には、ゲート配線１９は、アレイ基板１１ｂの表示部ＡＡにおいてＹ軸方向に沿って多数本が並列配置されているのに対して、行制御回路部２８は、走査回路によってドライバ２１からの制御信号（走査信号）を、表示部ＡＡにおいて図４に示す上端位置のゲート配線１９から下端位置のゲート配線１９に至るまで順次に供給することで、ゲート配線１９の走査を行っている。また、行制御回路部２８には、レベルシフタ回路やバッファ回路やＥＳＤ保護回路などの付属回路が備えられている。
【００４２】  そして、アレイ基板１１ｂにおける非表示部ＮＡＡには、図４に示すように、上記した列制御回路部２７とドライバ２１に接続されたパネル側画像出力端子部２４Ａとを接続して画像信号を伝送可能な画像信号配線３０が設けられるとともに、列制御回路部２７または行制御回路部２８とドライバ２１に接続されたパネル側制御出力端子部２４Ｂとを接続して制御信号を伝送可能な制御信号配線３１が設けられている。これら画像信号配線３０及び制御信号配線３１は、ゲート配線１９またはソース配線２０と同じ金属材料からなり、液晶パネル１１（アレイ基板１１ｂ）の製造工程においてゲート配線１９またはソース配線２０をパターニングする際に既知のフォトリソグラフィー法によりこれらと同時にアレイ基板１１ｂ上にパターニングされている。
【００４３】  画像信号配線３０は、図４に示すように、一方（表示部ＡＡ側）の端部が列制御回路部２７の長辺部に、他方（表示部ＡＡ側とは反対側）の端部がパネル側画像出力端子部２４Ａにそれぞれ接続されており、アレイ基板１１ｂの非表示部ＮＡＡにおいて、列制御回路部２７とパネル側画像出力端子部２４Ａ群との間に有される領域を横切る形で配索されている。画像信号配線３０は、Ｘ軸方向に沿って並列配置された各パネル側画像出力端子部２４Ａに対して個別に接続されるとともに、Ｘ軸方向に沿って多数本が並列する形で配されている。この画像信号配線３０の接続対象である列制御回路部２７とパネル側画像出力端子部２４Ａ群とにおけるＸ軸方向についての形成範囲を比べると、列制御回路部２７の方がパネル側画像出力端子部２４Ａ群よりも大きなものとされる。これは、主に列制御回路部２７に接続されたソース配線２０の本数が、画像信号配線３０の本数よりも多くて３倍程度とされることに因る。従って、パネル側画像出力端子部２４Ａから引き出された画像信号配線３０は、パネル側画像出力端子部２４Ａ側から列制御回路部２７側に引き回される過程で扇状に広げられている。詳しくは、画像信号配線３０は、パネル側画像出力端子部２４ＡからＹ軸方向、つまりドライバ２１の長辺方向と直交する方向に沿って列制御回路部２７側（表示部ＡＡ側）に引き出されてから、Ｘ軸方向及びＹ軸方向の双方に対して傾斜するよう屈曲されてＸ軸方向（ドライバ２１の長辺方向）について外向きに広がりつつ列制御回路部２７の長辺部へと引き回されている。つまり、画像信号配線３０は、パネル側画像出力端子部２４Ａからドライバ２１の長辺２１Ｌを横切る形で引き出されてから列制御回路部２７に向けて扇状に広がるよう引き回されている、と言える。多数本の画像信号配線３０のうち、図４に示す左側半分の画像信号配線３０は、反時計回り方向に傾斜するのに対し、同図右側半分の画像信号配線３０は、時計回り方向に傾斜している。
【００４４】  制御信号配線３１には、図４に示すように、一方（表示部ＡＡ側）の端部が列制御回路部２７のうち行制御回路部２８側の短辺部に、他方（表示部ＡＡ側とは反対側）の端部がパネル側制御出力端子部２４Ｂにそれぞれ接続されたものが１本あり、一方の端部が行制御回路部２８のうち列制御回路部２７側の短辺部に、他方の端部がパネル側制御出力端子部２４Ｂにそれぞれ接続されたものが４本ある。一方の端部が列制御回路部２７に接続された１本の制御信号配線３１は、制御信号として列制御回路部２７を駆動するための駆動電圧信号などを伝送する。一方の端部が行制御回路部２８に接続された４本の制御信号配線３１は、制御信号として走査信号、クロック信号、電源電圧信号、イニシャル信号、スタートパルス、スキャン方向の切り替え信号、行制御回路部２８を駆動するための駆動電圧信号などを伝送する。
【００４５】  そして、制御信号配線３１には、図６に示すように、パネル側制御出力端子部２４Ｂからドライバ２１の長辺２１Ｌを横切る形で引き出されてから画像信号配線３０に倣って表示部ＡＡに向けて引き回される第１制御信号配線３１Ａと、パネル側制御出力端子部２４Ｂからドライバ２１の短辺２１Ｓを横切る形で引き出されて表示部ＡＡに向けて引き回される第２制御信号配線３１Ｂとが含まれている。なお、以下では、制御信号配線３１を区別する場合には、「第１制御信号配線」に関する符号に添え字「Ａ」を、「第２制御信号配線」に関する符号に添え字「Ｂ」を付し、区別せずに総称する場合には、符号に添え字を付さないものとする。また、以下では、パネル側制御出力端子部２４Ｂのうち、第１制御信号配線３１Ａに接続されたものを第１パネル側制御出力端子部２４Ｂ１とし、第２制御信号配線３１Ｂに接続されたものを第２パネル側制御出力端子部２４Ｂ２とするものとし、これらを区別する場合には、「第１パネル側制御出力端子部」に関する符号に添え字「１」を、「第２パネル側制御出力端子部」に関する符号に添え字「２」を付し、区別せずに総称する場合には、符号に添え字を付さないものとする。
【００４６】  第１制御信号配線３１Ａに接続された第１パネル側制御出力端子部２４Ｂ１は、図４に示すように、パネル側出力端子部２４群の中でも、パネル側画像出力端子部２４Ａ群に対して隣り合う位置に配されている。第１制御信号配線３１Ａ及び第１パネル側制御出力端子部２４Ｂ１は、Ｘ軸方向に沿って３つずつ並んで配されている。第１制御信号配線３１Ａは、図６に示すように、第１パネル側制御出力端子部２４Ｂ１からＹ軸方向、つまりドライバ２１の長辺方向と直交する方向に沿って列制御回路部２７側（表示部ＡＡ側）に引き出されてから、Ｘ軸方向及びＹ軸方向の双方に対して傾斜するよう屈曲されてＸ軸方向（ドライバ２１の長辺方向）について外向き（行制御回路部２８側）に広がりつつ列制御回路部２７または行制御回路部２８へと引き回されている。つまり、第１制御信号配線３１Ａは、Ｘ軸方向について隣り合って配された画像信号配線３０と途中までは交差することがないようほぼ並行していて扇状に広がるよう引き回されている。第１制御信号配線３１Ａは、その線幅が全長にわたってほぼ一定とされている。
【００４７】  第１制御信号配線３１Ａには、図６に示すように、一方の端部が列制御回路部２７に接続されるもの（１本）と、一方の端部が行制御回路部２８に接続されるもの（２本）とが含まれている。列制御回路部２７に接続される第１制御信号配線３１Ａは、Ｘ軸方向及びＹ軸方向の双方に対して傾斜した傾斜状部分が所定距離にわたって画像信号配線３０に並行した後に屈曲されてＸ軸方向に沿って外向きに延在してから、ほぼ直角に２度屈曲されることで、列制御回路部２７の短辺部に達している。行制御回路部２８に接続される第１制御信号配線３１Ａは、上記した列制御回路部２７に接続される第１制御信号配線３１Ａに並行して、列制御回路部２７よりもＸ軸方向について外側位置まで達したところでほぼ直角に屈曲されて、Ｙ軸方向に沿って延在することで、行制御回路部２８の短辺部に達している。
【００４８】  列制御回路部２７に接続される第１制御信号配線３１Ａと、行制御回路部２８に接続される２本の第１制御信号配線３１Ａのうちの１本の第１制御信号配線３１Ａとには、図６に示すように、途中で蛇行した蛇行部３２が設けられている。蛇行部３２は、第１制御信号配線３１ＡのうちＸ軸方向に沿って延在する部分の一部に設けられており、ジグザグ状に蛇行した平面形状とされている。蛇行部３２を有する第１制御信号配線３１Ａは、蛇行部３２を有さない第１制御信号配線３１Ａに比べると、配線抵抗が相対的に高くなっている。この蛇行部３２を有する第１制御信号配線３１Ａには、列制御回路部２７に接続されるものと、行制御回路部２８に接続されるものとが含まれており、これら列制御回路部２７及び行制御回路部２８には、ＥＳＤ保護回路が内蔵されている。従って、仮に、ＥＳＤに伴うサージが蛇行部３２を有する第１制御信号配線３１Ａに入力された場合でも、サージをＥＳＤ保護回路へと逃がすことができ、もってサージからドライバ２１を保護することができる。
【００４９】  第２制御信号配線３１Ｂに接続された第２パネル側制御出力端子部２４Ｂ２は、図４に示すように、パネル側出力端子部２４群の中でも、第１パネル側制御出力端子部２４Ｂ１群に対してパネル側画像出力端子部２４Ａ群側とは反対側に隣り合う位置（パネル側出力端子部２４群の中の端となる位置）に配されている。従って、第２パネル側制御出力端子部２４Ｂ２は、パネル側出力端子部２４群の中では最も行制御回路部２８の近くに配されている。第２制御信号配線３１Ｂ及び第２パネル側制御出力端子部２４Ｂ２は、Ｘ軸方向に沿って２つずつ並んで配されている。第２制御信号配線３１Ｂは、図６に示すように、第２パネル側制御出力端子部２４Ｂ２からＹ軸方向、つまりドライバ２１の長辺方向と直交する方向に沿って列制御回路部２７側（表示部ＡＡ側）とは反対側に引き出されてから、パネル側入力端子部２３に至る手前の位置でほぼ直角に屈曲されてからＸ軸方向に沿って延在することで、ドライバ２１の短辺２１Ｓを横切ってドライバ２１の実装領域外に至る。この第２制御信号配線３１Ｂにおける第２パネル側制御出力端子部２４Ｂ２からの引き出し方向は、画像信号配線３０及び第１制御信号配線３１Ａにおけるパネル側画像出力端子部２４Ａ及び第１パネル側制御出力端子部２４Ｂ１からの引き出し方向とは１８０度反対の方向とされている。ここで、第２制御信号配線３１Ｂは、ドライバ２１の実装領域内において、第２パネル側制御出力端子部２４Ｂ２とパネル側入力端子部２３との間を通ってドライバ２１の短辺２１Ｓを横切る形で引き出されている。つまり、第２制御信号配線３１Ｂは、上記した画像信号配線３０及び第１制御信号配線３１Ａとは違って、ドライバ２１と列制御回路部２７（表示部ＡＡ）との間に有される領域には配されていない。従って、仮に全ての制御信号配線を画像信号配線３０と同じように配索した場合に比べると、第２制御信号配線３１Ｂがドライバ２１と列制御回路部２７との間に有される領域に配されない分だけ、ドライバ２１と列制御回路部２７との間の距離を短くすることができ、非表示部ＮＡＡを小型化することができる。これにより、液晶表示装置１０における外形の小型化や狭額縁化などを図る上で好適となる。また、仮に第１パネル側制御出力端子部と第２パネル側制御出力端子部との配置を入れ替えた場合に比べると、ドライバ２１の実装領域内における第２制御信号配線３１Ｂの配線長が短いものとなるから、第２制御信号配線３１Ｂに対するドライバ２１の機械的な干渉が生じ難くなるとともに、ドライバ２１が有する回路にノイズなどの影響が生じ難くなる。
【００５０】  第２制御信号配線３１Ｂの配索経路について引き続き説明する。第２制御信号配線３１Ｂは、図６に示すように、ドライバ２１の短辺２１Ｓを横切った後も、引き続きＸ軸方向に沿って外向き（行制御回路部２８側）に延在したところでほぼ直角に屈曲されて、Ｙ軸方向に沿って列制御回路部２７側に向けて延在する。Ｙ軸方向に沿って所定距離延在したところで、第２制御信号配線３１Ｂは、Ｘ軸方向及びＹ軸方向の双方に対して傾斜するよう屈曲されてＸ軸方向について外向きに広がるよう所定距離にわたって延在した後に、再び屈曲されてＸ軸方向に沿って外向きに延在してから、さらに屈曲されてＹ軸方向に沿って延在することで、行制御回路部２８の短辺部に達している。第２制御信号配線３１Ｂは、傾斜状部分から行制御回路部２８に達するまでの間、隣り合う第１制御信号配線３１Ａ（行制御回路部２８に接続されるもの）に並行している。
【００５１】  この第２制御信号配線３１Ｂは、図６に示すように、一部における線幅が第１制御信号配線３１Ａの線幅よりも拡幅されている。すなわち、第２制御信号配線３１Ｂは、ドライバ２１の短辺２１Ｓを横切る形で第２パネル側制御出力端子部２４Ｂ２から引き出されており、ドライバ２１と列制御回路部２７との間に有される領域に配されないことから、線幅を第１制御信号配線３１Ａよりも広くしても、非表示部ＮＡＡを拡張させることがないものとされる。従って、非表示部ＮＡＡを小さく保ちつつ、第２制御信号配線３１Ｂの線幅を広くすることでその配線抵抗を第１制御信号配線３１Ａの配線抵抗よりも小さくすることができる。２本の第２制御信号配線３１Ｂには、制御信号としてクロック信号を行制御回路部２８に伝送するもの（クロック信号制御配線）と、制御信号として電源電圧信号を行制御回路部２８に伝送するもの（電源制御信号配線）とが含まれている。クロック信号を伝送する第２制御信号配線３１Ｂは、クロック信号に係るパルス波形に鈍りが生じるのが嫌われる種類の配線であることから、上記のように第１制御信号配線３１Ａよりも線幅を広くして配線抵抗を低くすることによって、ＴＦＴ１７に安定したパルス波形のクロック信号を供給することができるものとされる。電源電圧信号を伝送する第２制御信号配線３１Ｂは、行制御回路部２８を安定的に作動させるために電圧降下の発生が嫌われる種類の配線であることから、上記のように第１制御信号配線３１Ａよりも線幅を広くして配線抵抗を低くすることによって、行制御回路部２８を安定的に作動させることができる。
【００５２】  詳しくは、第２制御信号配線３１Ｂは、図６に示すように、線幅が２段階となっており、相対的に線幅が狭い幅狭部分（基準幅部分）３３と、相対的に線幅が広い幅広部分（拡幅部分）３４とから構成されている。第２制御信号配線３１Ｂの幅狭部分３３は、線幅が第１制御信号配線３１Ａの線幅とほぼ同一とされている。これに対し、第２制御信号配線３１Ｂの幅広部分３４は、線幅が第１制御信号配線３１Ａ及び幅狭部分３３の線幅よりも拡張されている。幅広部分３４は、第２制御信号配線３１Ｂのうち、第２パネル側制御出力端子部２４Ｂ２に接続された他方の端部から、Ｘ軸方向及びＹ軸方向の双方に対して傾斜した傾斜状部分の終点位置までの範囲にわたって配されている。これに対し、幅狭部分３３は、第２制御信号配線３１Ｂのうち、行制御回路部２８に接続された一方の端部から、傾斜状部分の手前位置までの範囲にわたって配されている。ここで、幅広部分３４は、第２制御信号配線３１Ｂのうち、ドライバ２１の実装領域内に配された部分の全域と、ドライバ２１の短辺２１Ｓを横切ってドライバ２１の実装領域外に引き出された部分とにわたって形成されていて、非表示部ＮＡＡにおいて幅狭部分３３が形成された領域に比べると、比較的にスペース的な余裕があることから、線幅を十分に広くすることができる。これにより、非表示部ＮＡＡを小さく保ちつつ、第２制御信号配線３１Ｂの配線抵抗を十分に低減させることができる。
【００５３】  なお、第１制御信号配線３１Ａは、第２制御信号配線３１Ｂに比べると、線幅が狭くて相対的に配線抵抗が高いものとなっている。従って、本実施形態では、第１制御信号配線３１Ａには、制御信号としてクロック信号や電源電圧信号以外の信号（例えばイニシャル信号、スタートパルス、スキャン方向の切り替え信号など）を伝送させるようにしている。
【００５４】  以上説明したように本実施形態の液晶表示装置（表示装置）１０は、画像を表示可能な表示部ＡＡ及び表示部ＡＡ外の非表示部ＮＡＡを有する液晶パネル（表示パネル）１１と、非表示部ＮＡＡに取り付けられ、外部の信号供給源である制御回路基板１２から供給される入力信号を処理して生成した出力信号を表示部ＡＡに出力することで液晶パネル１１を駆動するものであって、液晶パネル１１の辺部（短辺）に沿って長手状をなすドライバ（パネル駆動部）２１と、非表示部ＮＡＡに設けられ、ドライバ２１に接続されるパネル側出力端子部２４と、非表示部ＮＡＡに設けられ、パネル側出力端子部２４であるパネル側画像出力端子部２４Ａからドライバ２１の長辺２１Ｌを横切る形で引き出されて表示部ＡＡに向けて扇状に広がるよう引き回されるとともに、出力信号に含まれる画像信号を伝送する複数の画像信号配線３０と、非表示部ＮＡＡに設けられ、パネル側出力端子部２４であるパネル側制御出力端子部２４Ｂから表示部ＡＡに向けて引き回されるとともに、出力信号に含まれる制御信号を伝送する複数の制御信号配線３１と、制御信号配線３１に含まれ、パネル側出力端子部２４である第１パネル側制御出力端子部２４Ｂ１からドライバ２１の長辺２１Ｌを横切る形で引き出されて画像信号配線３０に倣って表示部ＡＡに向けて引き回される第１制御信号配線３１Ａと、制御信号配線３１に含まれ、パネル側出力端子部２４である第２パネル側制御出力端子部２４Ｂ２からドライバ２１の短辺２１Ｓを横切る形で引き出されるとともに、少なくとも一部における線幅が第１制御信号配線３１Ａよりも拡幅されてなる第２制御信号配線３１Ｂと、を備える。
【００５５】  このようにすれば、液晶パネル１１の非表示部ＮＡＡに取り付けられたドライバ２１は、外部の信号供給源である制御回路基板１２からの入力信号を処理して出力信号を生成し、その出力信号を出力する。このドライバ２１には、非表示部ＮＡＡに設けられたパネル側出力端子部２４が接続されているので、ドライバ２１からの出力信号に含まれる画像信号及び制御信号がパネル側出力端子部２４を介して画像信号配線３０及び制御信号配線３１により伝送されて表示部ＡＡに供給されることで、液晶パネル１１の駆動がなされる。
【００５６】  上記した画像信号配線３０は、非表示部ＮＡＡにおいて、ドライバ２１の長辺２１Ｌを横切る形でパネル側出力端子部２４であるパネル側画像出力端子部２４Ａから引き出されて表示部ＡＡに向けて扇状に広がりつつ引き回されており、仮に全ての制御信号配線を、扇状に広がる画像信号配線３０に倣って表示部ＡＡに向けて引き回すと、パネル側出力端子部２４と表示部ＡＡとの間の距離が大きくなりがちとなる。その点、複数の制御信号配線３１には、ドライバ２１の長辺２１Ｌを横切る形でパネル側出力端子部２４である第１パネル側制御出力端子部２４Ｂ１から引き出されて画像信号配線３０に倣って表示部ＡＡに向けて引き回される第１制御信号配線３１Ａと、ドライバ２１の短辺２１Ｓを横切る形でパネル側出力端子部２４である第２パネル側制御出力端子部２４Ｂ２から引き出される第２制御信号配線３１Ｂとが含まれているから、パネル側出力端子部２４と表示部ＡＡとの間に第２制御信号配線３１Ｂを配置する必要がなくなる。従って、パネル側出力端子部２４と表示部ＡＡとの間の距離、すなわち非表示部ＮＡＡを小さく保つことができ、もって当該液晶表示装置１０における外形の小型化や狭額縁化などを図る上で好適となる。
【００５７】  しかも、第２制御信号配線３１Ｂは、パネル側出力端子部２４と表示部ＡＡとの間に配置されないことから、非表示部ＮＡＡを拡張せずとも少なくとも一部における線幅を第１制御信号配線３１Ａよりも拡幅することができる。これにより、非表示部ＮＡＡを小さく保ちつつも、第２制御信号配線３１Ｂの配線抵抗を小さくすることができる。
【００５８】  また、第２制御信号配線３１Ｂは、少なくともパネル側出力端子部２４である第２パネル側制御出力端子部２４Ｂ２から引き出されてドライバ２１の短辺２１Ｓを横切る位置よりも外側に配される部分における線幅が部分的に拡幅されてなる。第２制御信号配線３１Ｂのうち、パネル側出力端子部２４である第２パネル側制御出力端子部２４Ｂ２から引き出されてドライバ２１の短辺２１Ｓを横切る位置よりも外側に配される部分は、非表示部ＮＡＡにおいて、パネル側出力端子部２４と表示部ＡＡとの間の領域に比べると、スペース的に比較的に余裕のある領域に配されているので、少なくとも当該部分を部分的に拡幅することで、非表示部ＮＡＡを小型に保ちつつ第２制御信号配線３１Ｂの配線抵抗の低減を好適に図ることができる。
【００５９】  また、表示部ＡＡには、多数個のＴＦＴ（スイッチング素子）１７が行列状に並列配置されているのに対し、非表示部ＮＡＡには、制御信号配線３１のうち表示部ＡＡ側の端部に接続されるとともにＴＦＴ１７への制御信号の供給を制御する行制御回路部２８と、画像信号配線３０のうち表示部ＡＡ側の端部に接続されるとともにＴＦＴ１７への画像信号の供給を制御する列制御回路部２７とが設けられている。このようにすれば、表示部ＡＡにおいて行列状に並列配置された多数個のＴＦＴ１７は、行制御回路部２８により制御信号配線３１からの制御信号の供給が制御されるとともに、列制御回路部２７により画像信号配線３０からの画像信号の供給が制御されることで、適切に駆動されて表示部ＡＡに所定の画像が表示される。
【００６０】  また、第２制御信号配線３１Ｂには、制御信号としてクロック信号を伝送するクロック制御信号配線と、制御信号として行制御回路部２８または列制御回路部２７を駆動するための電源電圧信号を伝送する電源制御信号配線とが少なくとも含まれている。制御信号配線３１の中でも、クロック制御信号配線は、制御信号であるクロック信号に係るパルス波形に鈍りが生じるのが嫌われる種類の配線であり、電源制御信号配線は、行制御回路部２８または列制御回路部２７を安定的に作動させるために電圧降下の発生が嫌われる種類の配線である。このことから、これらクロック制御信号配線及び電源制御信号配線を少なくとも一部が拡幅された第２制御信号配線３１Ｂとすることで、その配線抵抗を低くすることができる。これにより、ＴＦＴ１７に安定したパルス波形のクロック信号を供給することができるとともに、行制御回路部２８または列制御回路部２７を安定的に作動させることができる。
【００６１】  また、第１制御信号配線３１Ａには、途中に蛇行した蛇行部３２を有するものが含まれており、行制御回路部２８と列制御回路部２７との少なくともいずれか一方には、蛇行部３２を有する第１制御信号配線３１Ａに対して電気的に接続されるＥＳＤ保護回路が内蔵されている。このようにすれば、第１制御信号配線３１Ａに蛇行部３２を有するものを含ませることで、その配線抵抗が蛇行部３２を有さないものに比べて高くなる。そして、蛇行部３２を有する第１制御信号配線３１Ａが行制御回路部２８と列制御回路部２７との少なくともいずれか一方に内蔵されたＥＳＤ保護回路に対して電気的に接続されているから、ＥＳＤに伴うサージが蛇行部３２を有する第１制御信号配線３１Ａに入力された場合でも、サージをＥＳＤ保護回路に逃がすことができ、サージからドライバ２１を保護することができる。
【００６２】  また、ＴＦＴ１７、行制御回路部２８及び列制御回路部２７は、それぞれ多結晶化されたシリコン薄膜を有している。このようにすれば、仮にアモルファスシリコン薄膜を用いた場合に比べると、電子移動度が高いので、高精細化及び低消費電力化を図る上で好適とされる。
【００６３】  また、第１制御信号配線３１Ａは、画像信号配線３０に接続されたパネル側出力端子部２４であるパネル側画像出力端子部２４Ａに対して隣り合う位置に配されたパネル側出力端子部２４である第１パネル側制御出力端子部２４Ｂ１に接続されるのに対し、第２制御信号配線３１Ｂは、第１制御信号配線３１Ａが接続されたパネル側出力端子部２４である第１パネル側制御出力端子部２４Ｂ１に対して、画像信号配線３０に接続されたパネル側出力端子部２４であるパネル側画像出力端子部２４Ａ側とは反対側に隣り合う位置に配されたパネル側出力端子部２４である第２パネル側制御出力端子部２４Ｂ２に接続されている。このようにすれば、パネル側出力端子部２４である第２パネル側制御出力端子部２４Ｂ２からドライバ２１の短辺２１Ｓを横切って引き回される第２制御信号配線３１Ｂのうち、ドライバ２１と重畳する部分の距離が短くなるから、第２制御信号配線３１Ｂとドライバ２１との機械的な干渉が生じ難くなるとともに、ドライバ２１が有する回路にノイズなどの影響が生じ難くなる。
【００６４】  また、非表示部ＮＡＡには、ドライバ２１に接続されるパネル側入力端子部２３が、パネル側出力端子部２４に対してドライバ２１の短辺２１Ｓに沿う方向について並んで配設されており、第２制御信号配線３１Ｂは、パネル側出力端子部２４とパネル側入力端子部２３との間を通る形で配されている。このようにすれば、外部の信号供給源である制御回路基板１２からの入力信号は、パネル側出力端子部２４を介してドライバ２１に供給される。ドライバ２１の短辺２１Ｓに沿う方向について並んで配設されたパネル側出力端子部２４とパネル側入力端子部２３との間に第２制御信号配線３１Ｂを通すことで、ドライバ２１の短辺２１Ｓを横切る形で第２制御信号配線３１Ｂを引き回すことができる。
【００６５】  また、表示パネルは、一対の基板１１ａ，１１ｂ間に液晶層１１ｃ（液晶）を封入してなる液晶パネル１１とされる。このような表示装置は液晶表示装置１０として、種々の用途、例えば携帯型情報端末、携帯電話、ノートパソコン、携帯型ゲーム機などの各種電子機器に適用できる。
【００６６】  また、液晶パネル１１に対して対向状をなし且つ表示側とは反対側に配されるとともに液晶パネル１１に対して光を供給可能なバックライト装置（照明装置）１４を備える。このようにすれば、バックライト装置１４から供給される光を利用して、液晶パネル１１の表示部ＡＡに画像を表示させることができる。
【００６７】  ＜実施形態２＞  本発明の実施形態２を図７または図８によって説明する。この実施形態２では、検査配線３５及び検査端子部３６を設けたものを示す。なお、上記した実施形態１と同様の構造、作用及び効果について重複する説明は省略する。
【００６８】  本実施形態に係るアレイ基板１１１ｂにおける非表示部ＮＡＡには、図７に示すように、制御信号配線１３１や列制御回路部１２７に接続されることでこれらを電気的に検査することが可能な検査配線３５が設けられている。さらには、非表示部ＮＡＡには、検査配線３５のうち、制御信号配線１３１側や列制御回路部１２７側とは反対側の端部に接続される検査端子部３６が設けられている。これら検査配線３５及び検査端子部３６を用いて行われる検査は、液晶パネル１１１の製造工程において、例えばドライバ１２１を実装する前の段階で行われる。検査配線３５には、一方の端部が制御信号配線１３１に接続される制御信号配線用検査配線３５Ａと、一方の端部が列制御回路部１２７に接続される列制御回路部用検査配線３５Ｂとの２種類が備えられている。検査端子部３６には、制御信号配線用検査配線３５Ａにおける他方の端部が接続される制御信号配線用検査端子部３６Ａと、列制御回路部用検査配線３５Ｂにおける他方の端部が接続される列制御回路部用検査端子部３６Ｂとの２種類が備えられている。なお、以下では、検査配線３５及び検査端子部３６を区別する場合には、「制御信号配線用検査配線及び制御信号配線用検査端子部」に関する符号に添え字「Ａ」を、「列制御回路部用検査配線及び列制御回路部用検査端子部」に関する符号に添え字「Ｂ」を付し、区別せずに総称する場合には、符号に添え字を付さないものとする。このうち、列制御回路部用検査端子部３６Ｂは、アレイ基板１１１ｂのうち、Ｘ軸方向について図７に示す右側、つまり行制御回路部１２８（制御信号配線１３１）の配置領域とは反対側の端部付近に２つ配されている。列制御回路部用検査配線３５Ｂは、列制御回路部用検査端子部３６Ｂと、列制御回路部１２７のうち第１制御信号配線１３１Ａに接続される側とは反対側の短辺部とに接続されており、２本が互いに並行している。そして、列制御回路部用検査端子部３６Ｂに図示しない検査用パッドを接触させることで、列制御回路部１２７に断線や短絡などの電気的な異常が生じていないかを検査することが可能とされている。
【００６９】  一方、制御信号配線用検査端子部３６Ａは、図８に示すように、アレイ基板１１１ｂのうち、制御信号配線１３１の配置領域に対してＹ軸方向について行制御回路部１２８（表示部ＡＡ）側とは反対側となる位置（端部付近）に、５つがＸ軸方向に沿って並んで配されている。そして、本実施形態に係る制御信号配線用検査配線３５Ａには、第１制御信号配線１３１Ａに接続される第１制御信号配線用検査配線（第１検査配線）３５Ａ１と、第２制御信号配線１３１Ｂに接続される第２制御信号配線用検査配線（第２検査配線）３５Ａ２とが含まれている。これに対し、制御信号配線用検査端子部３６Ａには、第１制御信号配線用検査配線３５Ａ１に接続される第１制御信号配線用検査端子部（第１検査端子部）３６Ａ１と、第２制御信号配線用検査配線３５Ａ２に接続される第２制御信号配線用検査端子部（第２検査端子部）３６Ａ２とが含まれている。なお、以下では、制御信号配線用検査配線３５Ａ及び制御信号配線用検査端子部３６Ａを区別する場合には、「第１制御信号配線用検査配線及び第１制御信号配線用検査端子部」に関する符号に添え字「１」を、「第２制御信号配線用検査配線及び第２制御信号配線用検査端子部」に関する符号に添え字「２」を付し、区別せずに総称する場合には、符号に添え字を付さないものとする。
【００７０】  このうち、第１制御信号配線用検査配線３５Ａ１は、図８に示すように、第１制御信号配線１３１Ａに接続された第１パネル側制御出力端子部１２４Ｂ１に対して接続されている。詳しくは、第１制御信号配線用検査配線３５Ａ１は、第１パネル側制御出力端子部１２４Ｂ１からＹ軸方向、つまりドライバ１２１の長辺方向と直交する方向に沿って列制御回路部１２７側（表示部ＡＡ側）とは反対側に引き出されてから、パネル側入力端子部１２３に至る手前の位置でほぼ直角に屈曲されてからＸ軸方向に沿って延在することで、ドライバ１２１の短辺１２１Ｓを横切ってドライバ１２１の実装領域外に至る。つまり、第１制御信号配線用検査配線３５Ａ１は、第２制御信号配線１３１Ｂに倣う（並行する）配索経路でもって形成されている。第１制御信号配線用検査配線３５Ａ１は、ドライバ１２１の実装領域内において第２制御信号配線１３１Ｂとパネル側入力端子部１２３との間を通されている。これにより、第１パネル側制御出力端子部１２４Ｂ１に接続された第１制御信号配線用検査配線３５Ａ１と、第２パネル側制御出力端子部１２４Ｂ２に接続された第２制御信号配線１３１Ｂとが互いに交差することなく引き回されている。ドライバ１２１の実装領域外に引き出された第１制御信号配線用検査配線３５Ａ１は、そのままＸ軸方向に沿って外向きに延在した後に屈曲されて第１制御信号配線用検査端子部３６Ａ１に接続されている。このように、第１制御信号配線用検査配線３５Ａ１が第１パネル側制御出力端子部１２４Ｂ１に接続されているので、第１制御信号配線用検査端子部３６Ａ１に対して図示しない検査用パッドを接触させることで、第１制御信号配線１３１Ａに断線や短絡などの電気的な異常が生じていないかを全長にわたって検査することが可能とされている。第１制御信号配線１３１Ａは、第２制御信号配線１３１Ｂの幅広部分１３４に比べると、線幅が細くなっていて断線などが生じ易い傾向にあることから、第１制御信号配線１３１Ａを全長にわたって断線の有無などを検査することによって、不良が生じた液晶パネル１１１（液晶表示装置）が出荷されるのを未然に防止する上で好適となる。
【００７１】  一方、第２制御信号配線用検査配線３５Ａ２は、図８に示すように、第２制御信号配線１３１Ｂのうち、幅広部分１３４よりも表示部ＡＡ寄りの部分、つまり幅狭部分１３３に対して接続されている。詳しくは、第２制御信号配線用検査配線３５Ａ２は、第２制御信号配線１３１Ｂを構成する幅狭部分１３３のうち、Ｘ軸方向に沿って延在する部分に接続されており、当該接続箇所からＹ軸方向に沿って表示部ＡＡ側とは反対側に向けて延在し、その端部が第２制御信号配線用検査端子部３６Ａ２に接続されている。ここで、第２制御信号配線１３１Ｂは、第２パネル側制御出力端子部１２４Ｂ２からドライバ１２１の短辺１２１Ｓを横切る形で引き出されているため、第２制御信号配線用検査配線３５Ａ２を第２パネル側制御出力端子部１２４Ｂ２に対して直接接続するのがスペース上困難となっている。つまり、第２制御信号配線用検査配線３５Ａ２によって第２制御信号配線１３１Ｂを全長にわたって断線などを検査するのは困難であった。そこで、第２制御信号配線１３１Ｂは、幅広部分１３４よりも幅狭部分１３３の方が断線などが生じ易い傾向にあることから、本実施形態では、第２制御信号配線１３１Ｂを幅狭部分１３３に接続することで、断線などの生じ易い幅狭部分１３３については検査を行うことができるようにしている。なお、第２制御信号配線１３１Ｂの幅広部分１３４は、本来的に断線が生じ難いことから、第２制御信号配線用検査配線３５Ａ２による検査を行わなくとも、幅広部分１３４に起因する不良を生じさせる可能性は極めて低くなっている。これにより、不良が生じた液晶パネル１１１（液晶表示装置）が出荷されるのを未然に防止する上で好適となる。
【００７２】  次に、制御信号配線用検査端子部３６Ａの配置について説明する。第１制御信号配線用検査端子部３６Ａ１は、図８に示すように、Ｘ軸方向について相対的に接続対象であるパネル側制御出力端子部１２４Ｂの近くに配されるのに対し、第２制御信号配線用検査端子部３６Ａ２は、Ｘ軸方向について第１制御信号配線用検査端子部３６Ａ１に対してパネル側制御出力端子部１２４Ｂ側とは反対側に配されていて、相対的にパネル側制御出力端子部１２４Ｂから遠くに配されている。第２制御信号配線１３１Ｂの幅狭部分１３３は、幅広部分１３４に比べると、パネル側制御出力端子部１２４Ｂから遠い位置に配されている。つまり、第２制御信号配線用検査端子部３６Ａ２は、接続対象である第２制御信号配線１３１Ｂの幅狭部分１３３の近くに配されている。以上により、第１制御信号配線用検査端子部３６Ａ１及び第２制御信号配線用検査端子部３６Ａ２の配線長を極力短くすることができる。
【００７３】  以上説明したように本実施形態によれば、非表示部ＮＡＡには、制御信号配線１３１に接続されることで制御信号配線１３１の導通状態を検査可能な検査配線３５が設けられており、検査配線３５には、第１制御信号配線１３１Ａに接続されたパネル側出力端子部１２４である第１パネル側制御出力端子部１２４Ｂ１に接続される第１制御信号配線用検査配線（第１検査配線）３５Ａ１と、第２制御信号配線１３１Ｂのうち線幅が拡幅された部分よりも表示部ＡＡ寄りの部分に接続される第２制御信号配線用検査配線（第２検査配線）３５Ａ２とが含まれている。このようにすれば、第１制御信号配線用検査配線３５Ａ１が、第１制御信号配線１３１Ａに接続されたパネル側出力端子部１２４である第１パネル側制御出力端子部１２４Ｂ１に対して接続されているから、相対的に線幅が細い第１制御信号配線１３１Ａを全長にわたって断線の有無について検査することができる。これにより、第１制御信号配線１３１Ａに断線が生じていた場合に検査によって断線を検出する確実性が高いものとなり、第１制御信号配線１３１Ａが断線した状態のまま当該液晶表示装置が出荷されるなどといった事態が生じ難くなる。一方、第２制御信号配線１３１Ｂは、パネル側出力端子部１２４である第２パネル側制御出力端子部１２４Ｂ２からドライバ１２１の短辺１２１Ｓを横切る形で引き出されているため、パネル側出力端子部１２４である第２パネル側制御出力端子部１２４Ｂ２に対して第２制御信号配線用検査配線３５Ａ２を直接接続するのがスペース上困難となっている。この第２制御信号配線１３１Ｂのうち線幅が拡幅された部分よりも表示部ＡＡ寄りの、線幅が相対的に細い部分（幅狭部分１３３）は、第２制御信号配線１３１Ｂのうち線幅が拡幅された部分（幅広部分１３４）に比べて断線が生じ易いものの、そこに第２制御信号配線用検査配線３５Ａ２を接続することで、当該線幅が細い部分に断線が生じていた場合に検査によって断線を検出する確実性を高いものとなる。第２制御信号配線１３１Ｂのうち線幅が拡幅された部分は、本来的に断線が生じ難いことから、第２制御信号配線用検査配線３５Ａ２による検査が行われなくても、第２制御信号配線１３１Ｂに断線が生じた状態のまま当該液晶表示装置が出荷されるなどといった事態が生じ難くなる。
【００７４】  また、第１制御信号配線１３１Ａは、画像信号配線１３０に接続されたパネル側出力端子部１２４であるパネル側画像出力端子部１２４Ａに対して隣り合う位置に配されたパネル側出力端子部１２４である第１パネル側制御出力端子部１２４Ｂ１に接続されるのに対し、第２制御信号配線１３１Ｂは、第１制御信号配線１３１Ａが接続されたパネル側出力端子部１２４である第１パネル側制御出力端子部１２４Ｂ１に対して、画像信号配線１３０に接続されたパネル側出力端子部１２４であるパネル側画像出力端子部１２４Ａ側とは反対側に隣り合う位置に配されたパネル側出力端子部１２４である第２パネル側制御出力端子部１２４Ｂ２に接続されており、第１制御信号配線用検査配線３５Ａ１は、第２制御信号配線１３１Ｂに倣ってドライバ１２１の短辺１２１Ｓを横切る形で第１制御信号配線１３１Ａに接続されたパネル側出力端子部１２４である第１パネル側制御出力端子部１２４Ｂ１から引き出されている。このようにすれば、それぞれパネル側出力端子部１２４である第１パネル側制御出力端子部１２４Ｂ１に接続された第１制御信号配線用検査配線３５Ａ１及び第２制御信号配線１３１Ｂを互いに交差させることなく引き回すことができるから、仮に交差させた場合に比べると、配線構造を簡単なものとすることができる。
【００７５】  また、非表示部ＮＡＡには、第１制御信号配線用検査配線３５Ａ１のうちパネル側出力端子部１２４である第１パネル側制御出力端子部１２４Ｂ１側の端部とは反対側の端部に接続される第１制御信号配線用検査端子部（第１検査端子部）３６Ａ１と、第２制御信号配線用検査配線３５Ａ２のうち第２制御信号配線１３１Ｂ側の端部とは反対側の端部に接続され且つ第１制御信号配線用検査端子部３６Ａ１に対してパネル側出力端子部１２４である第１パネル側制御出力端子部１２４Ｂ１側とは反対側に隣り合う形で並んで配される第２制御信号配線用検査端子部（第２検査端子部）３６Ａ２とが設けられている。このようにすれば、第１制御信号配線用検査端子部３６Ａ１が第１制御信号配線用検査配線３５Ａ１の接続対象であるパネル側出力端子部１２４である第１パネル側制御出力端子部１２４Ｂ１に対して相対的に近く配されるとともに、第２制御信号配線用検査端子部３６Ａ２が第２制御信号配線用検査配線３５Ａ２の接続対象である第２制御信号配線１３１Ｂに対して相対的に近く配されるので、これらに接続される第１制御信号配線用検査配線３５Ａ１及び第２制御信号配線用検査配線３５Ａ２の配線長を極力短くすることができる。
【００７６】  ＜実施形態３＞  本発明の実施形態３を図９によって説明する。この実施形態３では、パネル側制御出力端子部２２４Ｂの配置を変更したものを示す。なお、上記した実施形態１と同様の構造、作用及び効果について重複する説明は省略する。
【００７７】  本実施形態に係るパネル側制御出力端子部２２４Ｂのうち、第２パネル側制御出力端子部２２４Ｂ２は、図９に示すように、パネル側出力端子部２２４群において、パネル側画像出力端子部２２４Ａ群に対して隣り合う位置に配されている。これに対し、第１パネル側制御出力端子部２２４Ｂ１は、パネル側出力端子部２２４群の中でも、第２パネル側制御出力端子部２２４Ｂ２群に対してパネル側画像出力端子部２２４Ａ群側とは反対側に隣り合う位置に配されている。従って、第１パネル側制御出力端子部２２４Ｂ１は、パネル側出力端子部２２４群の中では最も行制御回路部２２８の近くに配されている。つまり、本実施形態に係る第１パネル側制御出力端子部２２４Ｂ１及び第２パネル側制御出力端子部２２４Ｂ２は、上記した実施形態１に記載した第１パネル側制御出力端子部２４Ｂ１及び第２パネル側制御出力端子部２４Ｂ２を入れ替えた配置とされている。このようにすれば、パネル側画像出力端子部２２４Ａ群と第１パネル側制御出力端子部２２４Ｂ１群との間の距離が、上記した実施形態１に記載したものに比べて大きくなるので、これらの端子部２２４Ａ，２２４Ｂ１から引き出した画像信号配線２３０群と第１制御信号配線２３１Ａ群との間により広いスペースを確保することができ、非表示部ＮＡＡでの引き回し（配索経路の設計）がより容易なものとなる。
【００７８】  ＜実施形態４＞  本発明の実施形態４を図１０によって説明する。この実施形態４では、パネル側制御出力端子部３２４Ｂの配置をさらに変更したものを示す。なお、上記した実施形態１と同様の構造、作用及び効果について重複する説明は省略する。
【００７９】  本実施形態に係るパネル側制御出力端子部３２４Ｂは、図１０に示すように、第２パネル側制御出力端子部３２４Ｂ２と第１パネル側制御出力端子部３２４Ｂ１とが互いに挟み込まれる配置とされる。具体的には、２つの第２パネル側制御出力端子部３２４Ｂ２は、パネル側制御出力端子部３２４Ｂ群のうち図１０に示す左端位置に配されるものと、同図右側から２番目の位置に配されるものとからなる。これに対して３つの第１パネル側制御出力端子部３２４Ｂ１は、パネル側制御出力端子部３２４Ｂ群のうち図１０に示す右端位置に配されるものと、同図右側から３番目と４番目とに配されるものとからなる。従って、パネル側制御出力端子部３２４Ｂ群のうち、図１０に示す右側から２番目に配される第２パネル側制御出力端子部３２４Ｂ２は、その両側に配された第１パネル側制御出力端子部３２４Ｂ１によって挟み込まれている。一方、パネル側制御出力端子部３２４Ｂ群のうち、図１０に示す右側から３番目と４番目との位置に配された２つの第１パネル側制御出力端子部３２４Ｂ１は、その両側に配された第２パネル側制御出力端子部３２４Ｂ２によって挟み込まれている。このようにすれば、各第１パネル側制御出力端子部３２４Ｂ１から引き出した各第１制御信号配線３３１Ａ間により広いスペースを確保できるとともに、各第２パネル側制御出力端子部３２４Ｂ２から引き出した各第２制御信号配線３３１Ｂ間により広いスペースを確保できる。
【００８０】  ＜実施形態５＞  本発明の実施形態５を図１１によって説明する。この実施形態５では、上記した実施形態２から第２制御信号配線４３１Ｂにおける幅狭部分４３３及び幅広部分４３４の形成範囲を変更したものを示す。なお、上記した実施形態２と同様の構造、作用及び効果について重複する説明は省略する。
【００８１】  本実施形態に係る第２制御信号配線４３１Ｂは、図１１に示すように、一対の幅狭部分４３３と、両幅狭部分４３３の間に配された１つの幅広部分４３４とからなる。具体的には、一対の幅狭部分４３３は、第２制御信号配線４３１Ｂのうち、行制御回路部４２８に接続された一方の端部を有する第１幅狭部分４３３Ａと、第２パネル側制御出力端子部４２４Ｂ２に接続された他方の端部を有する第２幅狭部分４３３Ｂとからなる。このうち、第１幅狭部分４３３Ａは、第２制御信号配線４３１Ｂのうち、行制御回路部４２８からＸ軸方向及びＹ軸方向の双方に対して傾斜した傾斜状部分の終点位置までの範囲にわたって形成されている。第２幅狭部分４３３Ｂは、第２制御信号配線４３１Ｂのうち、第２パネル側制御出力端子部４２４Ｂ２からドライバ４２１の短辺４２１Ｓを横切ってＸ軸方向に沿って外側に向けて延在する部分の終点位置までの範囲にわたって形成されている。つまり、第２幅狭部分４３３Ｂは、第２制御信号配線４３１Ｂのうち、第２パネル側制御出力端子部４２４Ｂ２からドライバ４２１の短辺４２１Ｓを横切る位置までの部分（ドライバ４２１の実装領域に配された部分）に加えて、短辺４２１Ｓを横切る位置から外側に引き出された部分（ドライバ４２１の実装領域外に配された部分）にまで形成されている。第２幅狭部分４３３Ｂのうち、ドライバ４２１の実装領域に配された部分は、第２パネル側制御出力端子部４２４Ｂ２とパネル側入力端子部４２３との間の領域において、隣り合って配される各第１制御信号配線用検査配線４３５Ａ１群に並行している。
【００８２】  これに対し、幅広部分４３４は、第２制御信号配線４３１Ｂのうち、Ｘ軸方向及びＹ軸方向の双方に対して傾斜した傾斜状部分と、傾斜状部分の始点位置からＹ軸方向に沿って図１１に示す手前側（行制御回路部４２８及び表示部ＡＡ側とは反対側）に向けて延在する部分とにわたって形成されている。幅広部分４３４の両端部は、それぞれ第１幅狭部分４３３Ａ及び第２幅狭部分４３３Ｂの各端部に接続されている。このように幅広部分４３４は、第２制御信号配線４３１Ｂのうち、ドライバ４２１の短辺４２１Ｓを横切る位置よりもドライバ４２１から視て外側となる位置、つまりドライバ４２１の実装領域外となる位置に配されている。
【００８３】  以上のように本実施形態では、第２制御信号配線４３１Ｂのうち、第２パネル側制御出力端子部４２４Ｂ２からドライバ４２１の短辺４２１Ｓを横切る位置までの部分を幅狭部分４３３（第２幅狭部分４３３Ｂ）としているから、ドライバ４２１の実装領域のうち、第２パネル側制御出力端子部４２４Ｂ２とパネル側入力端子部４２３との間の領域に第１制御信号配線用検査配線４３５Ａ１が配されるために当該領域に十分なスペースを確保するのが困難となっていても、当該領域に第２制御信号配線４３１Ｂを引き回すことが可能となっている。
【００８４】  ＜他の実施形態＞  本発明は上記記述及び図面によって説明した実施形態に限定されるものではなく、例えば次のような実施形態も本発明の技術的範囲に含まれる。  （１）上記した各実施形態以外にも、第２制御信号配線における幅狭部分及び幅広部分の具体的な範囲（比率）は適宜に変更可能である。幅狭部分及び幅広部分の具体的な範囲を変更するに際しては、少なくとも幅広部分がドライバの短辺を横切る位置よりもドライバの外側の領域の範囲に形成されるのが好ましい。具体的には、上記した実施形態１に記載した構成（検査配線及び検査端子部を有さない構成）において、第２制御信号配線の構成を上記した実施形態５に記載した第２制御信号配線と同様にすることが可能である。なお、ドライバの実装領域に配線が形成されない空き領域が広く存在する場合は、第２制御信号配線のうち第２パネル側制御出力端子部からドライバの短辺を横切る位置までの部分（ドライバの実装領域に配される部分）をも拡幅することが勿論可能である。
【００８５】  （２）上記した実施形態５において上記（１）のように第２制御信号配線における幅狭部分及び幅広部分の具体的な範囲を変更するに際しては、例えば第２制御信号配線における検査配線の接続箇所からドライバの短辺を横切る位置までの範囲を幅広部分とすることができる。それ以外にも、幅広部分が検査配線の接続箇所よりも行制御回路部寄りの位置にまで達する範囲とすることも可能である。
【００８６】  （３）上記（１）のように第２制御信号配線における幅狭部分及び幅広部分の具体的な範囲を変更するに際しては、幅狭部分または幅広部分を複数箇所設けるようにすることも可能である。
【００８７】  （４）上記した各実施形態では、第２制御信号配線の線幅を幅狭部分と幅広部分との２段階とした場合を示したが、第２制御信号配線の線幅を３段階以上とすることも可能である。
【００８８】  （５）上記した各実施形態では、第２制御信号配線の線幅を部分的に第１制御信号配線よりも拡幅したものを示したが、第２制御信号配線の線幅を全長にわたって第１制御信号配線よりも拡幅することも可能である。
【００８９】  （６）上記した各実施形態では、第２制御信号配線の幅狭部分における線幅が第１制御信号配線の線幅とほぼ等しくなる場合を示したが、第２制御信号配線の幅狭部分における線幅を、第１制御信号配線の線幅よりも狭くしたものや、逆に広くしたものも本発明に含まれる。
【００９０】  （７）上記した各実施形態では、第１制御信号配線群に列制御回路部に対して接続されるものを含ませた場合を示したが、第２制御信号配線群に列制御回路部に対して接続されるものを含ませることも可能である。その場合、上記した実施形態３に記載したような配置（第２パネル側制御出力端子部がパネル側画像出力端子部に隣り合う配置）を採るのが好ましい。
【００９１】  （８）上記した各実施形態では、第１制御信号配線群に蛇行部を有するものを含ませた場合を示したが、蛇行部に代えて第１制御信号配線の線幅を局所的に狭くすることで、配線抵抗を高くすることも可能である。要は第１制御信号配線の途中に配線抵抗を高くするための「抵抗部」を設けることができるのであれば、蛇行部以外の構造物を設けることも可能である。
【００９２】  （９）上記した実施形態２において記載した検査配線及び検査端子部は、液晶パネルの製造工程で行われる検査において使用されるものであるが、これらを液晶パネルの駆動に係る配線及び端子部として利用することも可能である。
【００９３】  （１０）上記した実施形態２以外にも、第２制御信号配線に対する第２制御信号配線用検査配線の具体的な接続位置は、適宜に変更可能である。例えば、当該接続位置を、第２制御信号配線における傾斜状部分の終点位置または始点位置とすることも可能である。
【００９４】  （１１）上記した実施形態２では、全ての制御信号配線に対して検査配線を個別に接続した場合を示したが、一部の制御信号配線に対してのみ検査配線を接続することも可能である。また、複数本の制御信号配線に対して１本の検査配線を接続することも可能である。
【００９５】  （１２）上記した実施形態３，４以外にも、パネル側出力端子部及び制御信号配線の配置については適宜に変更可能である。
【００９６】  （１３）上記した各実施形態では、アレイ基板の非表示部に列制御回路部及び行制御回路部を設けるようにした場合を示したが、列制御回路部及び行制御回路部を省略し、その機能をドライバに担わせることも可能である。
【００９７】  （１４）上記した各実施形態では、ＴＦＴ、列制御回路部及び行制御回路部が半導体膜としてＣＧシリコン薄膜を有する構成のものを示したが、それ以外にも、例えば、アモルファスシリコン（ａ‐Ｓｉ）または酸化物半導体（ＩＧＺＯ：ＩｎＧａＺｎＯｘ）などからなる半導体膜を用いることも可能である。
【００９８】  （１５）上記した各実施形態では、縦長な方形状をなす液晶パネルを例示したが、横長な方形状をなす液晶パネルや正方形状をなす液晶パネルにも本発明は適用可能である。
【００９９】  （１６）上記した各実施形態に記載した液晶パネルに対して、タッチパネルや視差バリアパネル（スイッチ液晶パネル）などの機能性パネルを積層する形で取り付けるようにしたものも本発明に含まれる。
【０１００】  （１７）上記した各実施形態では、液晶表示装置が備えるバックライト装置としてエッジライト型のものを例示したが、直下型のバックライト装置を用いるようにしたものも本発明に含まれる。
【０１０１】  （１８）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。
【０１０２】  （１９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、またカラー表示する液晶表示装置以外にも、白黒表示する液晶表示装置にも適用可能である。
【０１０３】  （２０）上記した各実施形態では、表示パネルとして液晶パネルを用いた液晶表示装置を例示したが、他の種類の表示パネル（ＰＤＰ（プラズマディスプレイパネル）や有機ＥＬパネルなど）を用いた表示装置にも本発明は適用可能である。その場合、バックライト装置を省略することが可能である。
【０１０４】  （２１）上記した各実施形態では、小型または中小型に分類され、携帯型情報端末、携帯電話、ノートパソコン、デジタルフォトフレーム、携帯型ゲーム機、電子インクペーパなどの各種電子機器などに用いされる液晶パネルを例示したが、画面サイズが例えば２０インチ〜９０インチで、中型または大型（超大型）に分類される液晶パネルにも本発明は適用可能である。その場合、液晶パネルをテレビ受信装置、電子看板（デジタルサイネージ）、電子黒板などの電子機器に用いることが可能とされる。
【符号の説明】
【０１０５】  １０…液晶表示装置（表示装置）、１１，１１１…液晶パネル（表示パネル）、１１ａ…ＣＦ基板（基板）、１１ｂ，１１１ｂ…アレイ基板（基板）、１１ｃ…液晶層（液晶）、１２…制御回路基板（外部の信号供給源）、１４…バックライト装置（照明装置）、１７…ＴＦＴ（スイッチング素子）、２１，１２１，４２１…ドライバ（パネル駆動部）、２１Ｌ…長辺、２１Ｓ，１２１Ｓ，４２１Ｓ…短辺、２３，１２３，４２３…パネル側入力端子部、２４，１２４，２２４…パネル側出力端子部、２４Ａ，１２４Ａ，２２４Ａ…パネル側画像出力端子部（パネル側出力端子部）、２４Ｂ，１２４Ｂ，２２４Ｂ，３２４Ｂ…パネル側制御出力端子部（パネル側出力端子部）、２４Ｂ１，１２４Ｂ１，２２４Ｂ１，３２４Ｂ１…第１パネル側制御出力端子部（パネル側出力端子部）、２４Ｂ２，１２４Ｂ２，２２４Ｂ２，３２４Ｂ２，４２４Ｂ２…第２パネル側制御出力端子部（パネル側出力端子部）、２７，１２７…列制御回路部、２８，１２８，２２８，４２８…行制御回路部、３０，１３０，２３０…画像信号配線、３１，１３１…制御信号配線、３１Ａ，１３１Ａ，２３１Ａ，３３１Ａ…第１制御信号配線、３１Ｂ，１３１Ｂ，３３１Ｂ，４３１Ｂ…第２制御信号配線（クロック制御信号配線、電源制御信号配線）、３２…蛇行部、３５…検査配線、３５Ａ…制御信号配線用検査配線（検査配線）、３５Ａ１，４３５Ａ１…第１制御信号配線用検査配線（第１検査配線）、３５Ａ２…第２制御信号配線用検査配線（第２検査配線）、３６…検査端子部、３６Ａ…制御信号配線用検査端子部（検査端子部）、３６Ａ１…制御信号配線用検査端子部（第１検査端子部）、３６Ａ２…制御信号配線用検査端子部（第２検査端子部）、ＡＡ…表示部、ＮＡＡ…非表示部
【図１】
2014013945.tif 000003
【図２】
2014013945.tif 000004
【図３】
2014013945.tif 000005
【図４】
2014013945.tif 000006
【図５】
2014013945.tif 000007
【図６】
2014013945.tif 000008
【図７】
2014013945.tif 000009
【図８】
2014013945.tif 000010
【図９】
2014013945.tif 000011
【図１０】
2014013945.tif 000012
【図１１】
2014013945.tif 000013
【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
画像を表示可能な表示部及び前記表示部外の非表示部を有する表示パネルと、
前記非表示部に取り付けられ、外部の信号供給源から供給される入力信号を処理して生成した出力信号を前記表示部に出力することで前記表示パネルを駆動するものであって、前記表示パネルの辺部に沿って長手状をなすパネル駆動部と、
前記非表示部に設けられ、前記パネル駆動部に接続されるパネル側出力端子部と、
前記非表示部に設けられ、前記パネル側出力端子部から前記パネル駆動部の長辺を横切る形で引き出されて前記表示部に向けて扇状に広がるよう引き回されるとともに、前記出力信号に含まれる画像信号を伝送する複数の画像信号配線と、
前記非表示部に設けられ、前記パネル側出力端子部から前記表示部に向けて引き回されるとともに、前記出力信号に含まれる制御信号を伝送する複数の制御信号配線と、
前記制御信号配線に含まれ、前記パネル側出力端子部から前記パネル駆動部の長辺を横切る形で引き出されて前記画像信号配線に倣って前記表示部に向けて引き回される第１制御信号配線と、
前記制御信号配線に含まれ、前記パネル側出力端子部から前記パネル駆動部の短辺を横切る形で引き出されるとともに、少なくとも一部における線幅が前記第１制御信号配線よりも拡幅されてなる第２制御信号配線と、を備える表示装置。
【請求項２】
前記第２制御信号配線は、少なくとも前記パネル側出力端子部から引き出されて前記パネル駆動部の前記短辺を横切る位置よりも外側に配される部分における線幅が部分的に拡幅されてなる請求項１記載の表示装置。
【請求項３】
前記非表示部には、前記制御信号配線に接続されることで前記制御信号配線の導通状態を検査可能な検査配線が設けられており、
前記検査配線には、前記第１制御信号配線に接続された前記パネル側出力端子部に接続される第１検査配線と、前記第２制御信号配線のうち線幅が拡幅された部分よりも前記表示部寄りの部分に接続される第２検査配線とが含まれている請求項２記載の表示装置。
【請求項４】
前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されており、
前記第１検査配線は、前記第２制御信号配線に倣って前記パネル駆動部の前記短辺を横切る形で前記第１制御信号配線に接続された前記パネル側出力端子部から引き出されている請求項３記載の表示装置。
【請求項５】
前記非表示部には、前記第１検査配線のうち前記パネル側出力端子部側の端部とは反対側の端部に接続される第１検査端子部と、前記第２検査配線のうち前記第２制御信号配線側の端部とは反対側の端部に接続され且つ前記第１検査端子部に対して前記パネル側出力端子部側とは反対側に隣り合う形で並んで配される第２検査端子部とが設けられている請求項４記載の表示装置。
【請求項６】
前記表示部には、多数個のスイッチング素子が行列状に並列配置されているのに対し、前記非表示部には、前記制御信号配線のうち前記表示部側の端部に接続されるとともに前記スイッチング素子への前記制御信号の供給を制御する行制御回路部と、前記画像信号配線のうち前記表示部側の端部に接続されるとともに前記スイッチング素子への前記画像信号の供給を制御する列制御回路部とが設けられている請求項１から請求項５のいずれか１項に記載の表示装置。
【請求項７】
前記第２制御信号配線は、前記制御信号としてクロック信号を伝送するクロック制御信号配線と、前記制御信号として前記行制御回路部または前記列制御回路部を駆動するための電源電圧信号を伝送する電源制御信号配線とのいずれかである請求項６記載の表示装置。
【請求項８】
前記第１制御信号配線には、途中に蛇行した蛇行部を有するものが含まれており、
前記行制御回路部と前記列制御回路部との少なくともいずれか一方には、前記蛇行部を有する前記第１制御信号配線に対して電気的に接続されるＥＳＤ保護回路が内蔵されている請求項６または請求項７記載の表示装置。
【請求項９】
前記スイッチング素子、前記行制御回路部及び前記列制御回路部は、それぞれ多結晶化されたシリコン薄膜を有している請求項６から請求項８のいずれか１項に記載の表示装置。
【請求項１０】
前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されている請求項１から請求項９のいずれか１項に記載の表示装置。
【請求項１１】
前記非表示部には、前記パネル駆動部に接続されるパネル側入力端子部が、前記パネル側出力端子部に対して前記パネル駆動部の前記短辺に沿う方向について並んで配設されており、
前記第２制御信号配線は、前記パネル側出力端子部と前記パネル側入力端子部との間を通る形で配されている請求項１から請求項１０のいずれか１項に記載の表示装置。
【請求項１２】
前記表示パネルは、一対の基板間に液晶を封入してなる液晶パネルとされる請求項１から請求項１１のいずれか１項に記載の表示装置。
【請求項１３】
前記液晶パネルに対して対向状をなし且つ表示側とは反対側に配されるとともに前記液晶パネルに対して光を供給可能な照明装置を備える請求項１から請求項１２のいずれか１項に記載の表示装置。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
画像を表示可能な表示部及び前記表示部外の非表示部を有する表示パネルと、
前記非表示部に取り付けられ、外部の信号供給源から供給される入力信号を処理して生成した出力信号を前記表示部に出力することで前記表示パネルを駆動するものであって、前記表示パネルの辺部に沿って長手状をなすパネル駆動部と、
前記非表示部に設けられ、前記パネル駆動部に接続されるパネル側出力端子部と、
前記非表示部に設けられ、前記パネル側出力端子部から前記パネル駆動部の長辺を横切る形で引き出されて前記表示部に向けて扇状に広がるよう引き回されるとともに、前記出力信号に含まれる画像信号を伝送する複数の画像信号配線と、
前記非表示部に設けられ、前記パネル側出力端子部から前記表示部に向けて引き回されるとともに、前記出力信号に含まれる制御信号を伝送する複数の制御信号配線と、
前記制御信号配線に含まれ、前記パネル側出力端子部から前記パネル駆動部の長辺を横切る形で引き出されて前記画像信号配線に倣って前記表示部に向けて引き回される第１制御信号配線と、
前記制御信号配線に含まれ、前記パネル側出力端子部から前記パネル駆動部の短辺を横切る形で引き出されるとともに、少なくとも一部における線幅が前記第１制御信号配線よりも拡幅されてなる第２制御信号配線と、を備える表示装置。
【請求項２】
前記第２制御信号配線は、少なくとも前記パネル側出力端子部から引き出されて前記パネル駆動部の前記短辺を横切る位置よりも外側に配される部分における線幅が部分的に拡幅されてなる請求項１記載の表示装置。
【請求項３】
前記非表示部には、前記制御信号配線に接続されることで前記制御信号配線の導通状態を検査可能な検査配線が設けられており、
前記検査配線には、前記第１制御信号配線に接続された前記パネル側出力端子部に接続される第１検査配線と、前記第２制御信号配線のうち線幅が拡幅された部分よりも前記表示部寄りの部分に接続される第２検査配線とが含まれている請求項２記載の表示装置。
【請求項４】
前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されており、
前記第１検査配線は、前記第２制御信号配線に倣って前記パネル駆動部の前記短辺を横切る形で前記第１制御信号配線に接続された前記パネル側出力端子部から引き出されている請求項３記載の表示装置。
【請求項５】
前記非表示部には、前記第１検査配線のうち前記パネル側出力端子部側の端部とは反対側の端部に接続される第１検査端子部と、前記第２検査配線のうち前記第２制御信号配線側の端部とは反対側の端部に接続され且つ前記第１検査端子部に対して前記パネル側出力端子部側とは反対側に隣り合う形で並んで配される第２検査端子部とが設けられている請求項４記載の表示装置。
【請求項６】
前記表示部には、多数個のスイッチング素子が行列状に並列配置されているのに対し、前記非表示部には、前記制御信号配線のうち前記表示部側の端部に接続されるとともに前記スイッチング素子への前記制御信号の供給を制御する行制御回路部と、前記画像信号配線のうち前記表示部側の端部に接続されるとともに前記スイッチング素子への前記画像信号の供給を制御する列制御回路部とが設けられている請求項１から請求項５のいずれか１項に記載の表示装置。
【請求項７】
前記第１制御信号配線には、途中に蛇行した蛇行部を有するものが含まれており、
前記行制御回路部と前記列制御回路部との少なくともいずれか一方には、前記蛇行部を有する前記第１制御信号配線に対して電気的に接続されるＥＳＤ保護回路が内蔵されている請求項６記載の表示装置。
【請求項８】
前記スイッチング素子、前記行制御回路部及び前記列制御回路部は、それぞれ多結晶化されたシリコン薄膜を有している請求項６または請求項７に記載の表示装置。
【請求項９】
前記第１制御信号配線は、前記画像信号配線に接続された前記パネル側出力端子部に対して隣り合う位置に配された前記パネル側出力端子部に接続されるのに対し、前記第２制御信号配線は、前記第１制御信号配線が接続された前記パネル側出力端子部に対して、前記画像信号配線に接続された前記パネル側出力端子部側とは反対側に隣り合う位置に配された前記パネル側出力端子部に接続されている請求項１から請求項８のいずれか１項に記載の表示装置。
【請求項１０】
前記非表示部には、前記パネル駆動部に接続されるパネル側入力端子部が、前記パネル側出力端子部に対して前記パネル駆動部の前記短辺に沿う方向について並んで配設されており、
前記第２制御信号配線は、前記パネル側出力端子部と前記パネル側入力端子部との間を通る形で配されている請求項１から請求項９のいずれか１項に記載の表示装置。
【請求項１１】
前記表示パネルは、一対の基板間に液晶を封入してなる液晶パネルとされる請求項１から請求項１０のいずれか１項に記載の表示装置。
【請求項１２】
前記液晶パネルに対して対向状をなし且つ表示側とは反対側に配されるとともに前記液晶パネルに対して光を供給可能な照明装置を備える請求項１１に記載の表示装置。
【国際調査報告】
2014013945.tif 000014
2014013945.tif 000015
2014013945.tif 000016
2014013945.tif 000017